(57)【要約】【課題】発熱性部品の放熱を効果的に行うことができ、またノイズによる悪影響を極力排除できる遊技機を提供する。【解決手段】発熱性部品としてのＬＥＤドライバ８０，８１を実装した基板４１を備えた遊技機で、基板４１を構成する基板本体７２の第１面７１ｂに、ＬＥＤドライバ８０，８１と、このＬＥＤドライバ８０，８１と基板本体７２との間に少なくとも一部が配置される第１導体パターン１０２とを設け、基板本体７２の第２面７１ａにグラウンド配線路７９を設け、第１導体パターン１０２とグラウンド配線路７９とを、基板本体７２の板厚方向に設けられた層間導通部９６により電気的に接続する。【選択図】図５
2020099799.tif 000002
【特許請求の範囲】
【請求項１】
発熱性部品を実装した基板を備えた
遊技機において、
前記基板を構成する基板本体の第１面に、前記発熱性部品と、該発熱性部品に接続されない特定配線路を含む他の配線路が周辺に配置された浮島状の第１導体パターンとを設け、
前記発熱性部品を、前記第１導体パターン上で且つ前記特定配線路から離間した位置に配置し、
前記基板本体の第２面にグラウンド配線路を設け、
前記第１導体パターンと前記グラウンド配線路とを、前記基板本体の板厚方向に設けられた層間導通部により電気的に接続した
ことを特徴とする遊技機。
【発明の詳細な説明】
【技術分野】
【０００１】
本発明は、パチンコ機、スロットマシン等の遊技機に関するものである。
【背景技術】
【０００２】
パチンコ機等の各種遊技機では、ＬＥＤを実装したＬＥＤ基板をはじめ、中継基板、制御基板等の多数の基板が搭載されている。またそれらの基板の中には、例えばＬＥＤやそれを駆動するＬＥＤドライバ等、発熱性部品を搭載したものも多い。
そのような発熱性部品を搭載した基板では、過熱による動作不良等を防止するため、発熱性部品の放熱を適切に行う必要がある。例えば特許文献１に記載の発明では、ＬＥＤ基板の裏側にＬＥＤチップに対応する放熱パターンを設け、その放熱パターンとＬＥＤチップとを、板厚方向の伝熱通路部で連結することにより、ＬＥＤチップで発生した熱を伝熱通路部を経て放熱パターンから放熱するようになっている。
【先行技術文献】
【特許文献】
【０００３】
【特許文献１】国際公開第ＷＯ２０１３／１３６７５８Ａ１号
【発明の概要】
【発明が解決しようとする課題】
【０００４】
特許文献１に記載の発明では、ＬＥＤチップに対して基板裏側に配置した放熱パターンで放熱するため、十分な放熱効率を得られにくいという問題があった。
また、ＬＥＤチップが伝熱接続されている放熱パターンは電気的に独立しており、この放熱パターンがアンテナの役割を果たしてノイズを拾いやすくなるため、例えば制御機能を有するＬＥＤドライバ、その他の制御素子の放熱手段としては採用し難いという問題もあった。
本発明は上記事情に鑑みてなされたものであり、発熱性部品の放熱を効果的に行うことができ、またノイズによる悪影響を極力排除できる遊技機を提供することを目的とする。
【課題を解決するための手段】
【０００５】
本発明は、発熱性部品１２１を実装した基板４２を備えた遊技機において、前記基板４２を構成する基板本体１１２の第１面１１１ｂに、前記発熱性部品１２１と、該発熱性部品１２１に接続されない特定配線路１２８ａ〜１２８ｄを含む他の配線路が周辺に配置された浮島状の第１導体パターン１３４とを設け、前記発熱性部品１２１を、前記第１導体パターン１３４上で且つ前記特定配線路１２８ａ〜１２８ｄから離間した位置に配置し、前記基板本体１１２の第２面１１１ａにグラウンド配線路１３５を設け、前記第１導体パターン１３４と前記グラウンド配線路１３５とを、前記基板本体１１２の板厚方向に設けられた層間導通部９６により電気的に接続したものである。
【発明の効果】
【０００６】
本発明によれば、発熱性部品の放熱を効果的に行うことができ、またノイズによる悪影響を極力排除できる。
【図面の簡単な説明】
【０００７】
【図１】本発明の第１の実施形態に係るパチンコ機の全体正面図である。
【図２】同パチンコ機の前扉の裏面図及び内枠の正面図である。
【図３】同パチンコ機の前扉におけるＬＥＤ基板等の配置を示す図である。
【図４】同パチンコ機の前扉における左配線経路の配線図である。
【図５】同パチンコ機の第１ＬＥＤ基板における各配線層の配線パターンを示す図である。
【図６】同パチンコ機のＬＥＤと配線路との接続部に設けられた放熱部を示す図である。
【図７】同パチンコ機の第１ＬＥＤ基板におけるＬＥＤドライバ装着部分の正面図及び側面断面図である。
【図８】同パチンコ機の第２ＬＥＤ基板における各配線層の配線パターンを示す図である。
【図９】同パチンコ機の第２ＬＥＤ基板におけるＬＥＤドライバ装着部分の正面図及び底面断面図である。
【図１０】同パチンコ機の第３ＬＥＤ基板における各配線層の配線パターンを示す図である。
【図１１】同パチンコ機の前扉における右配線経路の配線図である。
【図１２】同パチンコ機の第４ＬＥＤ基板における各配線層の配線パターンを示す図である。
【図１３】同パチンコ機の第４ＬＥＤ基板における下流側コネクタ近傍（ａ１）（ａ２）及びＬＥＤドライバ近傍（ｂ１）（ｂ２）の各ビア配列等を示す図である。
【図１４】同パチンコ機の第５ＬＥＤ基板における各配線層の配線パターンを示す図である。
【図１５】同パチンコ機の第５ＬＥＤ基板における上流側コネクタ近傍のビア配列等を示す図である。
【図１６】同パチンコ機の第６ＬＥＤ基板における各配線層の配線パターンを示す図である。
【図１７】本発明の第２の実施形態に係るパチンコ機の第２ＬＥＤ基板におけるＬＥＤドライバ装着部分の正面図及び側面断面図である。
【図１８】本発明の第３の実施形態に係るパチンコ機の第２ＬＥＤ基板におけるＬＥＤドライバ装着部分の正面図及び側面断面図である。
【図１９】本発明の第４の実施形態に係るパチンコ機の第３ＬＥＤ基板における各配線層の配線パターンを示す図である。
【図２０】本発明の第５の実施形態に係るパチンコ機の第１ＬＥＤ基板における各配線層の配線パターンを示す図である。
【図２１】同パチンコ機のＬＥＤ及び保護抵抗の接続状態及びそれらの両端電圧の関係を示す説明図である。
【図２２】本発明の第６の実施形態に係るパチンコ機のＬＥＤと配線路との接続部に設けられた放熱部を示す図である。
【図２３】本発明の第７の実施形態に係るパチンコ機の第４ＬＥＤ基板における下流側コネクタ近傍（ａ）及びＬＥＤドライバ近傍（ｂ）の配線パターンを示す図である。
【図２４】本発明の第８の実施形態に係るパチンコ機の第５ＬＥＤ基板における上流側コネクタ近傍の配線パターンを示す図である。
【図２５】本発明の第９の実施形態に係るパチンコ機の第５ＬＥＤ基板における上流側コネクタ近傍の配線パターンを示す図である。
【発明を実施するための最良の形態】
【０００８】
以下、本発明の実施形態を図面に基づいて詳述する。図１〜図１６は本発明をパチンコ機に採用した第１の実施形態を例示している。図１及び図２において、遊技機本体１は、矩形状の外枠２と、この外枠２の前側に左右一側、例えば左側のヒンジ３により開閉自在に枢着された内枠４とを備えている。
【０００９】
内枠４の前面側には、その上部側に遊技盤５を装着するための遊技盤装着枠６等が、下部側に発射手段７、下部スピーカ１０等が夫々配置されると共に、それらの前側を覆う前扉８がヒンジ３と同じ側のヒンジ９により開閉自在に枢着されている。
【００１０】
発射手段７は、図２に示すように、板金製の支持板１１と、この支持板１１の前面に装着された発射レール１２と、支持板１１の前面に装着され且つ発射用の遊技球を発射レール１２上に保持する球保持部１３と、支持板１１の前面で前後方向の駆動軸１４廻りに揺動自在に支持された打撃槌１５と、支持板１１の裏側に装着され且つ打撃槌１５を駆動軸１４を介して打撃方向に駆動するロータリソレノイド等の発射駆動手段１６とを備え、前扉８側の発射ハンドル１７が操作されたときに、その操作量に応じて発射駆動手段１６により打撃槌１５を打撃方向（時計廻り）に連続的に駆動するようになっている。これにより、発射レール１２上に１個ずつ供給される遊技球が発射レール１２に沿って遊技盤５の遊技領域５ａに向けて発射される。
【００１１】
遊技盤５は、遊技盤装着枠６に対して例えば前側から装着され、１又は複数の固定具１８により着脱自在に固定されており、その前面側には、発射手段７によって発射された遊技球を案内するガイドレール２１が環状に装着されると共に、そのガイドレール２１の内側の遊技領域５ａに、中央表示ユニット２２、普通図柄始動手段２３、特別図柄始動手段２４、大入賞手段２５、普通入賞手段２６等の各種遊技部品が配置されている。
【００１２】
中央表示ユニット２２には、液晶式等の画像表示手段２７の他、普通図柄表示手段２８、特別図柄表示手段２９、普通保留個数表示手段３０等が設けられている。画像表示手段２７は、演出図柄表示手段３１、特別保留個数表示手段３２等を構成している。
【００１３】
普通図柄表示手段２８は、例えば「○」「×」の２種類の普通図柄に対応する２個の発光体（例えばＬＥＤ）により構成されており、通過ゲート等よりなる普通図柄始動手段２３が遊技球を検出することを条件にそれら２つの発光体が所定時間交互に点滅して、普通図柄始動手段２３による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１４】
なお、普通図柄始動手段２３による遊技球検出時に取得された当たり判定乱数値等の普通乱数情報は、予め定められた上限保留個数、例えば４個を限度として記憶され、普通図柄表示手段２８による図柄変動が開始される毎に順次消化される。普通乱数情報の記憶個数（以下、普通保留個数）は、例えば上限保留個数と同数の発光体を備える普通保留個数表示手段３０が例えばその発光個数によって遊技者に報知するようになっている。
【００１５】
特別図柄始動手段２４は、特別図柄表示手段２９による図柄変動を開始させるためのもので、例えば上下２つの始動入賞手段２４ａ，２４ｂを備え、中央表示ユニット２２の下側に配置されている。上始動入賞手段２４ａは、開閉手段等を有しない非開閉式の入賞手段である。下始動入賞手段２４ｂは、開閉手段３３により遊技球が入球不可能（又は入球困難）な閉状態と入球可能（又は閉状態よりも入球容易）な開状態とに切り換え可能な開閉式の入賞手段で、普通図柄表示手段２８の変動後の停止図柄が当たり態様となって普通利益状態が発生した場合に、閉状態から開状態へと所定時間開放されるようになっている。
【００１６】
特別図柄表示手段２９は、１個又は複数個、例えば１個の特別図柄を変動表示可能な７セグメント式等の表示手段により構成されており、特別図柄始動手段２４が遊技球を検出すること、即ち上下２つの始動入賞手段２４ａ，２４ｂの何れかに遊技球が入球することを条件に特別図柄を所定時間変動表示して、始動入賞手段２４ａ，２４ｂへの入球時に取得された大当たり判定乱数値が予め定められた大当たり判定値と一致する場合には所定の大当たり態様（特定態様）で、それ以外の場合には例えば外れ態様で停止するようになっている。
【００１７】
なお、特別図柄始動手段２４による遊技球検出時に取得された大当たり判定乱数値等の特別乱数情報は、予め定められた上限保留個数、例えば４個を限度として記憶され、特別図柄表示手段２９による図柄変動が開始される毎に順次消化される。特別乱数情報の記憶個数（以下、特別保留個数）は、特別保留個数表示手段３２が例えば保留表示画像Ｘの表示個数によって遊技者に報知するようになっている。
【００１８】
演出図柄表示手段３１は、例えば特別図柄表示手段２９による特別図柄の変動表示と並行して演出図柄を変動表示するもので、１個又は複数個、例えば左右方向に３個の演出図柄を例えば各種の演出画像と共に画像表示手段２７の表示画面２７ａに変動表示可能に構成されており、特別図柄始動手段２４が遊技球を検出した場合、即ち上下２つの始動入賞手段２４ａ，２４ｂの何れかに遊技球が入賞した場合に、例えば特別図柄の変動開始と同時に複数種類の変動パターンの何れかに従って演出図柄の変動を開始すると共に、特別図柄の変動停止と同時に最終停止するように、演出図柄を左、右、中等の所定の順序で停止させるようになっている。
【００１９】
大入賞手段２５は、遊技球が入球可能な開状態と入球不可能な閉状態とに切り換え可能な開閉板２５ａを備えた開閉式の入賞手段で、特別図柄表示手段２９の変動後の特別図柄が大当たり態様となって特別利益状態が発生した場合に、開閉板２５ａが所定の開放パターンに従って前側に開放して、その上に落下した遊技球を内部へと入賞させるようになっている。
【００２０】
前扉８は、遊技領域５ａの前側に対応する窓孔３４が形成された例えば樹脂製の扉ベース３５を備えている。扉ベース３５には、例えば窓孔３４の上側近傍に左右一対の上部第１スピーカ３６ａ，３６ｂと送風演出手段３７とが配置され、窓孔３４の下側近傍に左右一対の上部第２スピーカ３８ａ，３８ｂが配置されている。送風演出手段（可動演出手段）３７は、遊技機本体１の前に座っている遊技者に向けて風を送る送風演出を行うためのもので、モータ（駆動手段）により動作するシロッコファン等の送風手段３７ａを備え、例えば送風口３７ｂが前斜め下向きとなるように、扉ベース３５の上部右端側に右側の上部第１スピーカ３６ｂに隣接して配置されている。
【００２１】
また扉ベース３５の前側には、図３に示すように、窓孔３４の周囲に複数（ここでは６つ）のＬＥＤ基板４１〜４６が配置されている。即ち、窓孔３４の左下部に第１ＬＥＤ基板４１が、窓孔３４の左上部に第２ＬＥＤ基板４２が、窓孔３４の上側の左右方向略中央に第３ＬＥＤ基板４３が夫々配置されており、また窓孔３４の右下部に第４ＬＥＤ基板４４が、その上側に第５ＬＥＤ基板４５が、窓孔３４の右上部の送風演出手段３７の近傍に第６ＬＥＤ基板４６が夫々配置されている。
【００２２】
第１ＬＥＤ基板４１と第２ＬＥＤ基板４２とは窓孔３４に沿って左側の上部第２スピーカ３８ａと上部第１スピーカ３６ａとの間に配置されており、第３ＬＥＤ基板４３は左右の上部第１スピーカ３６ａ，３６ｂの間に配置されている。また、第４ＬＥＤ基板４４と第５ＬＥＤ基板４５とは窓孔３４に沿って右側の上部第２スピーカ３８ｂと送風演出手段３７との間に配置されており、第６ＬＥＤ基板４６は、例えば送風演出手段３７の送風口３７ｂの外周に配置されている。
【００２３】
図１に示すように、扉ベース３５の下部前側には、例えば左寄りの位置に、発射手段７に供給するための遊技球を貯留する上皿４７が配置されており、更にその上皿４７の下側には、上皿４７が満杯のときの余剰球等を貯留する下皿４８が左端側に、発射ハンドル１７が右端側に夫々配置されている。
【００２４】
また、扉ベース３５の前側には、窓孔３４の周囲を前側から略覆う上装飾カバー４９と、上皿４７、下皿４８等を前側から略覆う下装飾カバー５０とが装着されている。上装飾カバー４９は、少なくとも第１〜第６ＬＥＤ基板４１〜４６の前側に対応する部分が透光性を有する発光レンズ部となっている。下装飾カバー５０上には、例えば上皿４７の前側の左右方向略中央に遊技者が操作可能な演出ボタン５１が、またその側方に球貸し操作部５２が夫々配置されている。
【００２５】
扉ベース３５の裏側には、図２に示すように、窓孔３４を後側から略塞ぐガラスユニット５３が着脱自在に装着されると共に、その下側には、球送り手段５４、下皿案内手段５５、前扉中継基板５６等が配置されている。球送り手段５４は、上皿４７内の遊技球を１個ずつ発射レール１２上に供給するもので、発射手段７の前側に対応して配置され、発射手段７による発射動作と同期して作動するようになっている。下皿案内手段５５は、上皿４７が満杯となったときの余剰球、及び発射手段７により発射されたにも拘わらず遊技領域５ａに達することなく戻ってきたファール球を下皿４８に案内するためのもので、例えば球送り手段５４に隣接してそのヒンジ９側に配置されている。また、前扉中継基板５６は、遊技盤５の裏側に配置される演出制御基板等と前扉８側の第１〜第６ＬＥＤ基板４１〜４６、スピーカ１０，３６ａ，３６ｂ，３８ａ，３８ｂ、送風演出手段３７等の各種演出手段等との間を中継するもので、例えば扉ベース３５とその後側の下皿案内手段５５との間に配置されている。
【００２６】
続いて、前扉８に設けられた各種遊技部品のうち、特に第１〜第６ＬＥＤ基板４１〜４６、上部第１スピーカ３６ａ，３６ｂ、上部第２スピーカ３８ａ，３８ｂ及び送風演出手段３７に関する配線について詳細に説明する。
【００２７】
まず、前扉８上の配線経路について概略を説明する。第１〜第６ＬＥＤ基板４１〜４６の配線経路は、図３等に示すように、前扉８の下部側に配置される前扉中継基板５６から窓孔３４に沿って左右に分岐しており、第１〜第３ＬＥＤ基板４１〜４３が窓孔３４の左側の左配線経路５７を構成し、第４〜第６ＬＥＤ基板４４〜４６が窓孔３４の右側の右配線経路５８を構成している。また、上部第１スピーカ３６ａ，３６ｂの駆動配線路は左配線経路５７上に設けられ、送風演出手段３７の駆動配線路は右配線経路５８上に設けられている。なお、上部第２スピーカ３８ａ，３８ｂは左右の配線経路５７，５８から独立しており、例えば前扉中継基板５６からハーネス５９ａ，５９ｂを介して接続されている。
【００２８】
左配線経路５７を構成する第１〜第３ＬＥＤ基板（第１〜第３基板）４１〜４３は、ハーネス６１，６２を介して直列に接続されており、その最上流側の第１ＬＥＤ基板４１が、ハーネス６０を介して前扉中継基板５６に接続されている。左配線経路５７では、第１ＬＥＤ基板４１及び第２ＬＥＤ基板４２にスルーパス配線路（所定配線路）が設けられ、そのスルーパス配線路の下流側に、第３ＬＥＤ基板４３に配置されたＬＥＤとこれを駆動するＬＥＤドライバとを含む回路部が接続されている。また、第１ＬＥＤ基板４１及び第２ＬＥＤ基板４２にも、ＬＥＤとこれを駆動するＬＥＤドライバとを含む回路部が設けられ、夫々スルーパス配線路に接続されている。また、上部第１スピーカ（所定演出手段）３６ａ，３６ｂの駆動配線路の一部が第１〜第３ＬＥＤ基板４１〜４３上に設けられ、最下流側の第３ＬＥＤ基板４３と上部第１スピーカ３６ａ，３６ｂとが夫々ハーネス６３，６４を介して接続されている。
【００２９】
右配線経路５８を構成する第４〜第６ＬＥＤ基板４４〜４６は、ハーネス６６，６７を介して直列に接続されており、その最上流側の第４ＬＥＤ基板４４が、ハーネス６５を介して前扉中継基板５６に接続されている。右配線経路５８では、第４ＬＥＤ基板（第１基板）４４及び第５ＬＥＤ基板（第２基板）４５にスルーパス配線路（所定配線路）が設けられ、そのスルーパス配線路の下流側に、第６ＬＥＤ基板（第３基板）４６に配置されたＬＥＤ（第３ＬＥＤ）とこれを駆動するＬＥＤドライバ（第３ＬＥＤドライバ）とを含む回路部が接続されている。第４ＬＥＤ基板（第１基板）４４にも、ＬＥＤ（第１ＬＥＤ）とこれを駆動するＬＥＤドライバ（第１ＬＥＤドライバ）とを含む回路部が設けられ、スルーパス配線路に接続されている。第５ＬＥＤ基板（第２基板）４５にもＬＥＤ（第２ＬＥＤ）が設けられているが、このＬＥＤは第４ＬＥＤ基板（第１基板）４４上のＬＥＤドライバ（第１ＬＥＤドライバ）によって駆動される。また、送風演出手段（所定演出手段）３７の駆動配線路の一部が第４，第５ＬＥＤ基板４４，４５上に設けられ、第５ＬＥＤ基板４５と送風演出手段３７の送風手段３７ａとがハーネス６８を介して接続されている。なお本実施形態では、第１〜第６ＬＥＤ基板４１〜４６上で、ＬＥＤ、ＬＥＤドライバ、保護抵抗、コネクタ等以外の部品については省略している。以下、第１〜第６ＬＥＤ基板４１〜４６の構成について詳細に説明する。
【００３０】
［第１ＬＥＤ基板４１］
第１ＬＥＤ基板（第１基板）４１は、図３等に示すように、前後両面に配線層を有する基板本体７２を備えている。基板本体７２は、右縁部７２ａが窓孔３４の左下部に沿って略円弧状に形成され、左縁部７２ｂが略上下方向に形成されていることにより、上部側から下部側に向けて徐々に拡幅しており、また左下部には左側の上部第２スピーカ３８ａの配置位置に対応する切欠部７２ｃが形成されている。
【００３１】
そしてこの第１ＬＥＤ基板４１には、図４に示すように、上流側コネクタ（基板接続用コネクタ）７３と、下流側コネクタ（基板接続用コネクタ）７４と、それらコネクタ７３，７４間を接続するＬＥＤ電源用、ＬＥＤドライバ電源用、信号用、クロック用及びグラウンド用のスルーパス配線路（所定配線路）７５〜７９と、ＬＥＤドライバ電源用、信号用、クロック用及びグラウンド用のスルーパス配線路７６〜７９から分岐して接続される例えば２つのＬＥＤドライバ８０，８１と、それらＬＥＤドライバ８０，８１のＲＧＢ端子とＬＥＤ電源用のスルーパス配線路７５との間に直列に接続された保護抵抗８２，８３及びＬＥＤ８４〜８７と、コネクタ７３，７４間を接続するスピーカ駆動配線路８８ａ〜８８ｄとが設けられている。なお、スルーパス配線路７５〜７９に接続された、ＬＥＤドライバ８０，８１、ＬＥＤ８４〜８７、保護抵抗８２，８３等を含む回路部が第１回路部の一例である。
【００３２】
上流側コネクタ７３は、ハーネス６０を介して前扉中継基板５６に接続されるもので、ＬＥＤ電源用のスルーパス配線路７５が接続される例えば２つのＬＥＤ電源端子８９ａ，８９ｂと、ＬＥＤドライバ電源用のスルーパス配線路７６が接続される例えば１つのＬＥＤドライバ電源端子９０と、信号用のスルーパス配線路（デジタル信号配線路）７７が接続される例えば１つの信号端子９１と、クロック用のスルーパス配線路（デジタル信号配線路）７８が接続される例えば１つのクロック端子９２と、グラウンド用のスルーパス配線路７９が接続される例えば３つのグラウンド端子９３ａ〜９３ｃと、スピーカ駆動配線路８８ａ〜８８ｄが接続されるスピーカ端子９４ａ〜９４ｄとを備え、それら計１２個の端子が例えば６個ずつ２列に配列されている。そして、それら２列の端子配列方向における両端側の各２個、計４個の端子がスピーカ端子９４ａ〜９４ｄとなっている。このように、ＬＥＤ電源用のスルーパス配線路７５を２つのＬＥＤ電源端子８９ａ，８９ｂに接続し、またグラウンド用のスルーパス配線路７９を３つのグラウンド端子９３ａ〜９３ｃに接続することにより、ハーネス側コネクタとの接触部分で発生する電気抵抗を低減している。
【００３３】
コネクタ７３，７４におけるスピーカ端子９４ａ〜９４ｄ以外の８個の端子については、例えば一方側の列にＬＥＤ電源端子８９ａ，８９ｂ、グラウンド端子９３ａ、ＬＥＤドライバ電源端子９０がその順序で配列され、また他方側の列にグラウンド端子９３ｂ、信号端子９１、クロック端子９２、グラウンド端子９３ｃがその順序で配列されている。もちろん、コネクタ７３，７４における各端子の配列は任意である。
【００３４】
図５は、第１ＬＥＤ基板４１の具体的な配線パターンを配線層毎に示したものである。第１ＬＥＤ基板４１では、前面側の前面配線層（第２配線層）７１ａにＬＥＤ８４〜８７等が、背面側の背面配線層（第１配線層）７１ｂに上流側コネクタ７３、下流側コネクタ７４、ＬＥＤドライバ８０，８１、保護抵抗８２，８３等が夫々配置されている。
【００３５】
なお、前面配線層７１ａ及び背面配線層７１ｂについては、その表面の略全体が絶縁皮膜１０６（図７参照）で覆われているが、図５ではその絶縁皮膜１０６を無視し、絶縁皮膜１０６の下側の配線路等を実線で示している。後述する図８，図１０，図１２，図１４，図１６についても同様である。
【００３６】
上流側コネクタ７３は、例えば背面配線層７１ｂ（図５（ｂ））の下端側に端子配列が左右方向となるように配置され、下流側コネクタ７４は例えば背面配線層７１ｂの上端側に端子配列が上下方向となるように配置されている。コネクタ７３，７４の各端子は例えば矩形状で、その配列方向に直交する方向の細長状に形成されている。そして、上流側コネクタ７３の一端側のスピーカ端子９４ａ，９４ｂには、例えば上部第１スピーカ３６ａ用のスピーカ駆動配線路８８ａ，８８ｂが端子配列方向（ここでは左右方向）の外側から接続され、上流側コネクタ７３の他端側のスピーカ端子９４ｃ，９４ｄには、例えば上部第１スピーカ３６ｂ用のスピーカ駆動配線路８８ｃ，８８ｄが端子配列方向（ここでは左右方向）の外側から接続されている。同様に下流側コネクタ７４の一端側のスピーカ端子９４ａ，９４ｂには、例えば上部第１スピーカ３６ａ用のスピーカ駆動配線路８８ａ，８８ｂが端子配列方向（ここでは上下方向）の外側から接続され、下流側コネクタ７４の他端側のスピーカ端子９４ｃ，９４ｄには、例えば上部第１スピーカ３６ｂ用のスピーカ駆動配線路８８ｃ，８８ｄが端子配列方向（ここでは上下方向）の外側から接続されている。
【００３７】
このように、スピーカ駆動配線路８８ａ〜８８ｄは、コネクタ７３，７４の複数の端子のうちそれらの配列方向の最も外側の端子９４ａ〜９４ｄに対して端子配列方向の外側から接続されているため、スピーカ駆動配線路８８ａ〜８８ｄを広幅に形成しているにも関わらず、他の配線路との干渉を回避することが容易である。また、スピーカ端子９４ａ〜９４ｄは、端子配列方向に直交する方向の細長状に形成されているため、スピーカ駆動配線路８８ａ〜８８ｄをそれらスピーカ端子９４ａ〜９４ｄの長辺側に接続することで接続部の断面積をより大きく確保して抵抗を低く抑えることができる。
【００３８】
ＬＥＤ８４〜８７は、例えば前面配線層７１ａ（図５（ａ））の長手方向に沿って略一定の間隔で一列状に配置されている。ＬＥＤドライバ８０により駆動されるＬＥＤ８４，８５は、例えば前面配線層７１ａの上部側に上下に配置され、ＬＥＤ間配線路９５により直列に接続されている。またＬＥＤドライバ８１により駆動されるＬＥＤ８６，８７は、例えば前面配線層７１ａの下部側に基板本体７２の右縁部７２ａに沿って斜め方向に配置され、ＬＥＤ間配線路９５により直列に接続されている。なお、ＬＥＤ８４〜８７は、赤色、緑色、青色の各ＬＥＤ素子を内蔵したフルカラー発光型で、例えばアノード側とカソード側の両方に、赤色に対応するＲ電極と緑色に対応するＧ電極（第２電極）と青色に対応するＢ電極（第３電極）とが、例えばＲ電極（第１電極）が中央となるように並んで設けられている。
【００３９】
また、この第１ＬＥＤ基板４１では、スピーカ駆動配線路８８ａ〜８８ｄの他、ＬＥＤ電源用、ＬＥＤドライバ電源用、信号用及びクロック用のスルーパス配線路７５〜７８については、例えばその両端側、即ちコネクタ７３，７４への接続部近傍の所定範囲を除き、それらの略全体がＬＥＤ８４〜８７と同じ前面配線層（第２配線層）７１ａ側に設けられている。
【００４０】
即ち、スピーカ駆動配線路８８ａ，８８ｂは前面配線層７１ａ上で例えば右縁部７２ａに沿って配置されており、その両端部側でビア（層間導通部）９６を介して背面配線層７１ｂ側のコネクタ７３，７４におけるスピーカ端子９４ａ，９４ｂに接続されている。またスピーカ駆動配線路８８ｃ，８８ｄは前面配線層７１ａ上で例えば左縁部７２ｂに沿って配置されており、その両端部側でビア９６を介して背面配線層７１ｂ側のコネクタ７３，７４におけるスピーカ端子９４ｃ，９４ｄに接続されている。本実施形態のビア９６は、例えばスルーホールにメッキを施したスルーホール型のビアであるとする。
【００４１】
また、ＬＥＤ電源用、ＬＥＤドライバ電源用、信号用及びクロック用のスルーパス配線路７５〜７８は、例えば上部側のＬＥＤ８４，８５の右側及び下部側のＬＥＤ８６，８７の左側に沿って前面配線層７１ａにおける幅方向の略中央を縦断するように配置されており、その両端部においてビア９６を介して背面配線層７１ｂ側のコネクタ７３，７４におけるＬＥＤ電源端子８９ａ，８９ｂ、ＬＥＤドライバ電源端子９０、信号端子９１、クロック端子９２に接続されている。
【００４２】
そして、ＬＥＤ電源用のスルーパス配線路７５から分岐したＬＥＤ電源用配線路９７が、例えばＬＥＤ８４，８７のアノード電極に接続され、ＬＥＤドライバ電源用のスルーパス配線路７６から分岐したＬＥＤ電源配線路９８が、ＬＥＤドライバ８０，８１の電源端子に接続され、信号用のスルーパス配線路７７から分岐した信号配線路９９が、ＬＥＤドライバ８０，８１の信号端子に接続され、クロック用のスルーパス配線路７８から分岐したクロック配線路１００が、ＬＥＤドライバ８０，８１のクロック端子に接続されている。
【００４３】
また、前面配線層７１ａには、デジタル信号配線路を含むスルーパス配線路７５〜７８とスピーカ駆動配線路８８ａ〜８８ｄとの間を含む複数箇所にベタグラウンドパターン１０１が設けられている。それら各ベタグラウンドパターン１０１は、背面配線層７１ｂ側のベタグラウンドパターン１０２等と共にグラウンド用のスルーパス配線路（グラウンド配線路）７９を構成するもので、例えばビア９６、ベタグラウンドパターン１０２等を介してコネクタ７３，７４のグラウンド端子９３ａ〜９３ｃに接続されている。なお、それら複数のベタグラウンドパターン１０１のうちの例えばベタグラウンドパターン１０１ａは、スピーカ駆動配線路８８ｃ，８８ｄとスルーパス配線路７５〜７８との間でＬＥＤ８５の下側に浮島状に配置されている。
【００４４】
ＬＥＤドライバ８０，８１は、例えば背面配線層７１ｂにおける略中央に上下方向に所定距離をおいて配置されており、前面配線層７１ａ側の信号用，クロック用のスルーパス配線路（デジタル信号配線路）７７，７８に対応する位置に配置されている。また、それらＬＥＤドライバ８０，８１の配置範囲に対応して、前面配線層７１ａ側のベタグラウンドパターン１０１ａが設けられている。即ち、前面配線層７１ａ側では、信号用，クロック用のスルーパス配線路７７，７８とスピーカ駆動配線路８８ｃ，８８ｄとがベタグラウンドパターン１０１ａを挟んで配置されており、背面配線層７１ｂ側のＬＥＤドライバ８０，８１は、スピーカ駆動配線路８８ｃ，８８ｄ等から外れて信号用，クロック用のスルーパス配線路７７，７８に対応する位置に配置されており、またベタグラウンドパターン１０１ａはＬＥＤドライバ８０，８１の配置範囲に対応している。
【００４５】
このように、ノイズ源となり得るＬＥＤドライバ８０，８１とデジタル信号配線路７７，７８とを背面配線層７１ｂと前面配線層７１ａとにおける互いに対応する位置に集約して配置し、ノイズに弱いスピーカ駆動配線路８８ｃ，８８ｄをそれらデジタル信号配線路７７，７８等から離して配置すると共にそれらの間にベタグラウンドパターン１０１ａを配置することにより、ＬＥＤドライバ８０，８１やデジタル信号配線路７７，７８からスピーカ駆動配線路８８ｃ，８８ｄに対するノイズによる悪影響を極力排除できる。
【００４６】
保護抵抗８２，８３は、例えば背面配線層７１ｂにおけるＬＥＤドライバ８０，８１の近傍等に配置されており、その一端側がＬＥＤ駆動配線路１０３を介してＬＥＤドライバ８０，８１のＲＧＢ端子に、他端側がビア９６を挟んで背面配線層７１ｂ側に跨がるカソード側配線路１０４を介してＬＥＤ８５，８６のカソード電極に夫々接続されている。
【００４７】
背面配線層７１ｂには、ＬＥＤドライバ８０，８１、保護抵抗８２，８３の周囲等に複数のベタグラウンドパターン１０２が設けられている。これらのベタグラウンドパターン１０２は、例えば複数のビア９６、前面配線層７１ａ側のベタグラウンドパターン１０１等を介して互いに接続されると共に、コネクタ７３，７４のグラウンド端子９３ａ〜９３ｃ及びＬＥＤドライバ８０，８１のグラウンド端子に接続されている。
【００４８】
なお、第１ＬＥＤ基板４１では、スピーカ駆動配線路８８ａ〜８８ｄは、ＬＥＤ８４〜８７を駆動するための信号用，クロック用のスルーパス配線路７７，７８、信号配線路９９、クロック配線路１００等のデジタル信号配線路よりも広幅に形成されている。
【００４９】
また第１ＬＥＤ基板４１では、発熱性部品の一例としてのＬＥＤ８４〜８７、ＬＥＤドライバ８０，８１の放熱効率向上のために以下のような構成を採用している。まずＬＥＤ８４〜８７については、それらの電極に接続される配線路（即ち銅箔パターン）に、その配線路における他の部分よりも広幅の放熱部１０５ａ，１０５ｂを設け、その放熱部１０５ａ，１０５ｂを介してＬＥＤ８４〜８７の放熱を行うようになっている。
【００５０】
即ち図６に示すように、ＬＥＤ間配線路９５及びカソード側配線路１０４には、例えば中央のＲ配線路（第１配線路）９５Ｒ，１０４Ｒを除き、その両側のＧ配線路（第２配線路）９５Ｇ，１０４Ｇ及びＢ配線路（第３配線路）９５Ｂ，１０４Ｂに放熱部１０５ａを設けている。この放熱部１０５ａは、例えばＧ，Ｂの各電極ＡＧ，ＡＢ，ＫＧ，ＫＢとの接続部に設けられており、Ｒ配線路９５Ｒ，１０４Ｒとは反対側、即ち電極並び方向の外側に拡幅するように例えば矩形状に形成されている。また、ＬＥＤ電源用配線路９７には、ＬＥＤ８４，８７の電極ＡＧ，ＡＲ，ＡＢとの接続部に、幅方向両側に拡幅する例えば矩形状の放熱部１０５ｂを設けている。これにより、ＬＥＤ８４，８７で発生した熱を放熱部１０５ａ，１０５ｂを介して効率よく放熱することができ、ＬＥＤの過熱による動作不良等を防止できる。
【００５１】
また、ＬＥＤドライバ８０，８１については、基板本体７２との間にベタグラウンドパターン（第１導体パターン）１０２の一部が配置されており、このベタグラウンドパターン１０２を介してＬＥＤドライバ８０，８１の放熱を行うようになっている。本実施形態では、図７に示すように、ベタグラウンドパターン１０２の一部がＬＥＤドライバ８０，８１の下側に配置されており、ＬＥＤドライバ８０，８１は、ベタグラウンドパターン１０２を覆う絶縁皮膜１０６に裏面を略当接させた状態で基板本体７２に固定されている。これにより、ＬＥＤドライバ８０，８１で発生した熱を広い面積のベタグラウンドパターン１０２を介して効率よく放熱することができ、ＬＥＤドライバの過熱による動作不良等を防止できる。
【００５２】
［第２ＬＥＤ基板４２］
第２ＬＥＤ基板（第２基板）４２は、図３等に示すように、前後両面に配線層を有する基板本体１１２を備えている。基板本体１１２は、右縁部１１２ａが窓孔３４の左上部に沿って略円弧状に形成され、左縁部１１２ｂが略上下方向に形成されていることにより、下部側から上部側に向けて徐々に拡幅している。
【００５３】
そしてこの基板本体１１２には、図４に示すように、上流側コネクタ（基板接続用コネクタ）１１３と、下流側コネクタ（基板接続用コネクタ）１１４と、それらコネクタ１１３，１１４間を接続するＬＥＤ電源用、ＬＥＤドライバ電源用、信号用、クロック用及びグラウンド用のスルーパス配線路（所定配線路）１１５〜１１９と、ＬＥＤドライバ電源用、信号用、クロック用及びグラウンド用のスルーパス配線路１１６〜１１９から分岐して接続される例えば２つのＬＥＤドライバ１２０，１２１と、それらＬＥＤドライバ１２０，１２１のＲＧＢ端子とＬＥＤ電源用のスルーパス配線路１１５との間に直列に接続された保護抵抗１２２，１２３及びＬＥＤ１２４〜１２７と、コネクタ１１３，１１４間を接続するスピーカ駆動配線路１２８ａ〜１２８ｄとが設けられている。なお、スルーパス配線路１１５〜１１９に接続された、ＬＥＤドライバ１２０，１２１、ＬＥＤ１２４〜１２７、保護抵抗１２２，１２３等を含む回路部が第２回路部の一例である。
【００５４】
上流側コネクタ１１３は、ハーネス６１により第１ＬＥＤ基板４１側の下流側コネクタ７４と接続されるもので、下流側コネクタ７４と同じ端子構成となっている。一方の下流側コネクタ１１４は、上流側コネクタ１１３とは端子構成が異なっており、ＬＥＤ電源用のスルーパス配線路１１５が接続される例えば１つのＬＥＤ電源端子８９と、ＬＥＤドライバ電源用のスルーパス配線路１１６が接続される例えば１つのＬＥＤドライバ電源端子９０と、信号用のスルーパス配線路（デジタル信号配線路）１１７が接続される例えば１つの信号端子９１と、クロック用のスルーパス配線路（デジタル信号配線路）１１８が接続される例えば１つのクロック端子９２と、グラウンド用のスルーパス配線路１１９が接続される例えば２つのグラウンド端子９３ａ，９３ｂと、スピーカ駆動配線路１２８ａ〜１２８ｄが接続されるスピーカ端子９４ａ〜９４ｄとを備え、それら計１０個の端子が例えば５個ずつ２列に配列されている。そして、それら２列の端子配列方向における両端側の各２個、計４個の端子がスピーカ端子９４ａ〜９４ｄとなっている。
【００５５】
このように第２ＬＥＤ基板４２では、上流側コネクタ１１３における電源系配線路、即ちＬＥＤ電源用、ＬＥＤドライバ電源用、グラウンド用の各スルーパス配線路１１５，１１６，１１９に対応する端子数（ここでは計６個）が、下流側コネクタ１１４における同配線路１１５，１１６，１１９に対応する端子数（ここでは計４個）よりも大となっている。
【００５６】
下流側コネクタ１１４におけるスピーカ端子９４ａ〜９４ｄ以外の６個の端子については、例えば一方側の列にＬＥＤ電源端子８９、グラウンド端子９３ａ、ＬＥＤドライバ電源端子９０がその順序で配列され、また他方側の列に信号端子９１、クロック端子９２、グラウンド端子９３ｂがその順序で配列されている。もちろん、コネクタ１１４における各端子の配列は任意である。
【００５７】
図８は、第２ＬＥＤ基板４２の具体的な配線パターンを配線層毎に示したものである。第２ＬＥＤ基板４２では、前面側の前面配線層１１１ａ（図８（ａ））にＬＥＤ１２４〜１２７等が、背面側の背面配線層１１１ｂ（図８（ｂ））に上流側コネクタ１１３、下流側コネクタ１１４、ＬＥＤドライバ１２０，１２１、保護抵抗１２２，１２３等が夫々配置されている。
【００５８】
上流側コネクタ１１３は例えば背面配線層１１１ｂの下端側に端子配列が左右方向となるように配置され、下流側コネクタ１１４は例えば背面配線層１１１ｂの上部側に同じく端子配列が左右方向となるように配置されている。コネクタ１１３，１１４の各端子は例えば矩形状で、その配列方向（ここでは左右方向）に直交する方向の細長状に形成されている。そして、上流側コネクタ１１３の一端側のスピーカ端子９４ａ，９４ｂには、例えば上部第１スピーカ３６ａ用のスピーカ駆動配線路１２８ａ，１２８ｂが端子配列方向（ここでは左右方向）の外側から接続され、上流側コネクタ１１３の他端側のスピーカ端子９４ｃ，９４ｄには、例えば上部第１スピーカ３６ｂ用のスピーカ駆動配線路１２８ｃ，１２８ｄが端子配列方向（ここでは左右方向）の外側から接続されている。同様に下流側コネクタ１１４の一端側のスピーカ端子９４ａ，９４ｂには、例えば上部第１スピーカ３６ａ用のスピーカ駆動配線路１２８ａ，１２８ｂが端子配列方向（ここでは左右方向）の外側から接続され、下流側コネクタ１１４の他端側のスピーカ端子９４ｃ，９４ｄには、例えば上部第１スピーカ３６ｂ用のスピーカ駆動配線路１２８ｃ，１２８ｄが端子配列方向（ここでは左右方向）の外側から接続されている。
【００５９】
この第２ＬＥＤ基板４２では、例えばＬＥＤ電源用のスルーパス配線路１１５については、例えばその両端側、即ちコネクタ１１３，１１４への接続部近傍の所定範囲を除き、その略全体がＬＥＤ１２４〜１２７と同じ前面配線層１１１ａ側に設けられているが、スピーカ駆動配線路１２８ａ〜１２８ｄの他、ＬＥＤドライバ電源用、信号用及びクロック用のスルーパス配線路１１６〜１１８については、ビア９６を介して前面配線層１１１ａ側に回避する一部のバイパス部分を除き、それらの略全体が背面配線層１１１ｂ側に設けられている。
【００６０】
即ち、スピーカ駆動配線路１２８ａ，１２８ｂは背面配線層１１１ｂ上で右縁部１１２ａに沿って配置され、スピーカ駆動配線路１２８ｃ，１２８ｄは背面配線層１１１ｂ上で左縁部１１２ｂに沿って配置されている。また、スルーパス配線路１１６〜１１８は、背面配線層１１１ｂ上で例えばスピーカ駆動配線路１２８ａ，１２８ｂとスピーカ駆動配線路１２８ｃ，１２８ｄとの間に上下方向に配置され、それらの上下両端側が夫々コネクタ１１３，１１４に接続されている。
【００６１】
そして、ＬＥＤドライバ電源用のスルーパス配線路１１６から分岐したＬＥＤドライバ電源配線路１３１が、ＬＥＤドライバ１２０，１２１の電源端子に接続され、信号用のスルーパス配線路１１７から分岐した信号配線路１３２が、ＬＥＤドライバ１２０，１２１の信号端子に接続され、クロック用のスルーパス配線路１１８から分岐したクロック配線路１３３が、ＬＥＤドライバ１２０，１２１のクロック端子に接続されている。
【００６２】
ここで、ＬＥＤドライバ１２０とこれに対応する保護抵抗１２２とは例えば背面配線層１１１ｂにおける下流側コネクタ１１４の上側に配置され、ＬＥＤドライバ１２１とこれに対応する保護抵抗１２３とは例えば背面配線層１１１ｂにおけるスピーカ駆動配線路１２８ｃ，１２８ｄとスルーパス配線路１１６〜１１８との間に配置されている。
【００６３】
なお、ＬＥＤドライバ１２０に対応するＬＥＤ電源配線路１３１，信号配線路１３２及びクロック配線路１３３は、下流側コネクタ１１４又はその近傍から略上向き、即ちスルーパス配線路１１６〜１１８の略延長方向に設けられている。このように、第２ＬＥＤ基板４２の下流側コネクタ１１４は、上流側コネクタ１１３とＬＥＤドライバ１２０とを接続する配線路の途中に配置されているため、第２ＬＥＤ基板４２の最下手側に下流側コネクタ１１４を配置する場合と比較して第２ＬＥＤ基板４２の配線路が単純化される利点がある。
【００６４】
また、背面配線層１１１ｂには例えば複数のベタグラウンドパターン１３４が設けられている。それら各ベタグラウンドパターン１３４は、前面配線層１１１ａ側のベタグラウンドパターン１３５等と共にグラウンド用のスルーパス配線路（グラウンド配線路）１１９を構成するもので、例えばビア９６、ベタグラウンドパターン１３５等を介して上流側コネクタ１１３のグラウンド端子９３ａ〜９３ｃ、下流側コネクタ１１４のグラウンド端子９３ａ，９３ｂ、及びＬＥＤドライバ１２０，１２１のグラウンド端子に接続されている。
【００６５】
図９等に示すように、ＬＥＤドライバ１２０と基板本体１１２との間にはベタグラウンドパターン（第１導体パターン）１３４の一部が配置されており、そのベタグラウンドパターン１３４と前面配線層１１１ａ側のベタグラウンドパターン（グラウンド配線路，第２導体パターン）１３５とを接続するビア（層間導通部）９６は、例えばＬＥＤドライバ１２０の配置領域内と配置領域外との両方に夫々１つ以上設けられている。なお、ＬＥＤドライバ１２０の配置領域外のビア９６は、配置領域の近傍を含む１又は複数箇所に設けることが望ましい。また、ＬＥＤドライバ１２０の配置領域内に対応するビア９６は、図９等に示すように、ＬＥＤドライバ１２０の配置領域内における中央領域に集中的に配置されている。このように、ＬＥＤドライバ１２０の配置領域内にビア９６を配置することにより、前面配線層１１１ａ側のベタグラウンドパターン１３５への熱伝導が促進されると共にビア９６の内表面からも放熱が期待でき、しかもそのビア９６を最も高温となるＬＥＤドライバ１２０の中央領域に集中的に配置することにより、ＬＥＤドライバ１２０で発生した熱をより効率よく放熱することが可能である。なお、ＬＥＤドライバ１２０の配置領域内における中央領域だけでなく、同配置領域内における中央領域の外側（周辺領域）にもビア９６を配置すると共に、周辺領域よりも中央領域の方がそれらビア９６の配置密度を高くしてもよい。また、ベタグラウンドパターン（第１導体パターン）１３４と前面配線層１１１ａ側とを接続するビア９６を、ＬＥＤドライバ１２０の配置領域内にのみ設けてもよい。
【００６６】
また、背面配線層１１１ｂの複数のベタグラウンドパターン１３４のうちのベタグラウンドパターン１３４ａは、ＬＥＤドライバ１２１に対応する位置に設けられている。ベタグラウンドパターン（第１導体パターン）１３４ａは、その一部がＬＥＤドライバ１２１と基板本体１１２との間に配置されており、その周囲をクロック用のスルーパス配線路（クロック配線路）１１８を含む配線路群、即ちスピーカ駆動配線路１２８ｃ，１２８ｄ、スルーパス配線路１１６〜１１８等の配線路によって取り囲まれた浮島状に形成されると共に、１又は複数のビア（層間導通部）９６によって前面配線層１１１ａ側のベタグラウンドパターン（グラウンド配線路，第２導体パターン）１３５に電気的に接続されている。これにより、ベタグラウンドパターン１３４ａを介してＬＥＤドライバ１２１の放熱を効果的に行うことができると共に、このベタグラウンドパターン１３４ａが拾うノイズによる悪影響を極力排除できる。
【００６７】
また、背面配線層１１１ｂ側のベタグラウンドパターン１３４ａと前面配線層１１１ａ側のベタグラウンドパターン１３５とを接続するビア９６は、ＬＥＤドライバ１２１の配置領域内と配置領域外との両方に夫々１つ以上設けられている。ＬＥＤドライバ１２１の配置領域内に対応するビア９６は、前面配線層１１１ａ側のベタグラウンドパターン１３５の配置に合わせて例えばＬＥＤドライバ１２１の一つの縁部の近傍に配置されている。ビア９６をＬＥＤドライバ１２１の配置領域内に設けることで、ＬＥＤドライバ１２１で発生した熱をより効率よく放熱することが可能である。また、ビア９６をＬＥＤドライバ１２１の配置領域外だけでなく配置領域内にも設けることで、ベタグラウンドパターン１３４ａが拾うノイズによる悪影響をより効果的に排除できる。なお、ベタグラウンドパターン１３４ａをベタグラウンドパターン１３５に接続するためのビア９６は、例えばＬＥＤドライバ１２１の配置領域内にのみ設けてもよい。
【００６８】
ＬＥＤドライバ１２０によって駆動されるＬＥＤ１２４，１２５は、例えば前面配線層１１１ａの上部側に左右に配置され、ＬＥＤ間配線路１３６により直列に接続されている。またＬＥＤドライバ１２１によって駆動されるＬＥＤ１２６，１２７は、例えば前面配線層１１１ａの下部側に上下に配置され、ＬＥＤ間配線路１３６により直列に接続されている。なお、ＬＥＤ１２４〜１２７は、赤色、緑色、青色の各ＬＥＤ素子を内蔵したフルカラー発光型で、例えばアノード側とカソード側の両方に、赤色に対応するＲ電極と緑色に対応するＧ電極と青色に対応するＢ電極とが、例えばＲ電極が中央となるように並んで設けられている。
【００６９】
なお、第２ＬＥＤ基板４２では、スピーカ駆動配線路１２８ａ〜１２８ｄは、ＬＥＤを駆動するための信号用，クロック用のスルーパス配線路１１７，１１８、信号配線路１３２、クロック配線路１３３等のデジタル信号配線路よりも広幅に形成されている。
【００７０】
また、ＬＥＤ電源用のスルーパス配線路１１５は、前面配線層１１１ａの略中央を縦断するように配置され、その両端側がビア９６等を介して背面配線層１１１ｂ側のコネクタ１１３，１１４に接続されている。そして、そのＬＥＤ電源用のスルーパス配線路１１５から分岐したＬＥＤ電源用配線路１３７が例えばＬＥＤ１２５，１２７のアノード電極に接続され、またＬＥＤ１２４，１２６のカソード電極が、ビア９６を挟んで背面配線層１１１ｂ側に跨がるカソード側配線路１３８を介して保護抵抗１２２，１２３に接続されている。なお、ＬＥＤ間配線路１３６、ＬＥＤ電源用配線路１３７及びカソード側配線路１３８には、第１ＬＥＤ基板４１と同様の放熱部１０５ａ，１０５ｂが設けられている。
【００７１】
［第３ＬＥＤ基板４３］
第３ＬＥＤ基板（第３基板）４３は、図３等に示すように、前後両面側に配線層を有する例えば横長略矩形状の基板本体１４２を備えている。そしてこの基板本体１４２に、図４に示すように上流側コネクタ（基板接続用コネクタ）１４３、一対のスピーカ用コネクタ（演出手段接続用コネクタ）１４４，１４５、ＬＥＤドライバ１４６、ＬＥＤ１４７〜１５０、保護抵抗１５１，１５２等が設けられている。
【００７２】
上流側コネクタ１４３は、ハーネス６２により第２ＬＥＤ基板４２側の下流側コネクタ１１４と接続されるもので、その下流側コネクタ１１４と同じ端子構成となっている。スピーカ用コネクタ１４４，１４５は、ハーネス６３，６４により上部第１スピーカ３６ａ，３６ｂと接続されるもので、スピーカ用コネクタ１４４にはスピーカ端子１５３ａ，１５３ｂが、スピーカ用コネクタ１４５にはスピーカ端子１５３ｃ，１５３ｄが夫々設けられている。スピーカ用コネクタ１４４のスピーカ端子１５３ａ，１５３ｂは、スピーカ駆動配線路１５４ａ，１５４ｂを介して上流側コネクタ１４３のスピーカ端子９４ａ，９４ｂに接続され、スピーカ用コネクタ１４５のスピーカ端子１５３ｃ，１５３ｄは、スピーカ駆動配線路１５４ｃ，１５４ｄを介して上流側コネクタ１４３のスピーカ端子９４ｃ，９４ｄに接続されている。
【００７３】
図１０は、第３ＬＥＤ基板４３の具体的な配線パターンを配線層毎に示したものである。第３ＬＥＤ基板４３では、前面側の前面配線層（第２配線層）１４１ａ（図１０（ａ））にＬＥＤ１４７〜１５０等が、背面側の背面配線層（第１配線層）１４１ｂ（図１０（ｂ））に上流側コネクタ１４３、スピーカ用コネクタ１４４，１４５、ＬＥＤドライバ１４６、保護抵抗１５１，１５２等が夫々配置されている。
【００７４】
上流側コネクタ１４３は例えば背面配線層１４１ｂの左右一端側に端子配列が左右方向となるように配置され、スピーカ用コネクタ１４４，１４５は例えば背面配線層１４１ｂの左右両端側に端子配列が上下方向となるように配置されている。スピーカ用コネクタ１４４，１４５の各端子は、上流側コネクタ１４３と同じく例えば矩形状で、その配列方向（ここでは上下方向）に直交する方向の細長状に形成されている。
【００７５】
上流側コネクタ１４３の一端側のスピーカ端子９４ａ，９４ｂにはスピーカ駆動配線路１５４ａ，１５４ｂが端子配列方向（ここでは左右方向）の外側から接続され、上流側コネクタ１４３の他端側のスピーカ端子９４ｃ，９４ｄには、スピーカ駆動配線路１５４ｃ，１５４ｄが端子配列方向（ここでは左右方向）の外側から接続されている。またスピーカ用コネクタ１４４のスピーカ端子１５３ａ，１５３ｂにはスピーカ駆動配線路１５４ａ，１５４ｂが端子配列方向（ここでは上下方向）の外側から接続され、スピーカ用コネクタ１４５のスピーカ端子１５３ｃ，１５３ｄにはスピーカ駆動配線路１５４ｃ，１５４ｄが端子配列方向（ここでは上下方向）の外側から接続されている。なお、スピーカ駆動配線路１５４ａ〜１５４ｄは、例えばその両端側、即ち各コネクタ１４３〜１４５への接続部近傍の所定範囲を除き、その略全体がＬＥＤ１４７〜１５０と同じ前面配線層（第２配線層）１４１ａ側に設けられている。
【００７６】
ＬＥＤドライバ１４６は例えば背面配線層１４１ｂの略中央に配置され、その左右両側に、ＬＥＤドライバ１４６のＲＧＢ端子に夫々接続される保護抵抗１５１，１５２が配置されている。そして、ＬＥＤドライバ電源用、信号用、クロック用の各配線路１５５〜１５７により、上流側コネクタ１４３のＬＥＤドライバ電源端子９０、信号端子９１、クロック端子９２と、ＬＥＤドライバ１４６とが接続されている。なお、ＬＥＤドライバ電源用、信号用、クロック用の各配線路１５５〜１５７は、例えばビア９６を介して前面配線層１４１ａ側に回避する一部のバイパス部分を除き、それらの略全体が背面配線層１４１ｂ側に設けられている。
【００７７】
背面配線層１４１ｂには一又は複数のベタグラウンドパターン１５８が設けられている。ベタグラウンドパターン１５８は、前面配線層１４１ａ側のベタグラウンドパターン１５９等と共にグラウンド配線路１６０を構成するもので、例えばビア９６、ベタグラウンドパターン１５９等を介して上流側コネクタ１４３のグラウンド端子９３ａ，９３ｂ及びＬＥＤドライバ１４６のグラウンド端子に接続されている。
【００７８】
ベタグラウンドパターン（第１導体パターン）１５８は、その一部がＬＥＤドライバ１４６と基板本体１４２との間に配置されている。また、そのベタグラウンドパターン１５８と前面配線層１４１ａ側のベタグラウンドパターン（グラウンド配線路，第２導体パターン）１５９とを接続するビア９６のうち、ＬＥＤドライバ１４６の配置領域内に配置されているビア９６が、例えばＬＥＤドライバ１４６の配置領域内における中央領域に集中的に配置されている。
【００７９】
ＬＥＤ１４７〜１５０は、例えば前面配線層１４１ａの長手方向にジグザグ状に配置されており、例えば左側のＬＥＤ１４７，１４８がＬＥＤ間配線路１６１により直列に接続され、例えば右側のＬＥＤ１４９，１５０がＬＥＤ間配線路１６１により直列に接続されている。なお、ＬＥＤ１４７〜１５０は、赤色、緑色、青色の各ＬＥＤ素子を内蔵したフルカラー発光型で、例えばアノード側とカソード側の両方に、赤色に対応するＲ電極と緑色に対応するＧ電極と青色に対応するＢ電極とが、例えばＲ電極が中央となるように並んで設けられている。また、ＬＥＤ１４８，１４９のアノード電極は、ビア９６を介して背面配線層１４１ｂ側に跨がるＬＥＤ電源用配線路１６２を介して上流側コネクタ１４３のＬＥＤ電源端子８９に接続され、ＬＥＤ１４７，１５０のカソード電極は、ビア９６を挟んで背面配線層１１１ｂ側に跨がるカソード側配線路１６３を介して保護抵抗１５１，１５２に接続されている。また、ＬＥＤ間配線路１６１、ＬＥＤ電源用配線路１６２及びカソード側配線路１６３には、第１ＬＥＤ基板４１等と同様の放熱部１０５ａ，１０５ｂが設けられている。
【００８０】
なお、第３ＬＥＤ基板４３では、スピーカ駆動配線路１５４ａ〜１５４ｄは、ＬＥＤを駆動するための信号用、クロック用の各配線路１５６，１５７等のデジタル信号配線路よりも広幅に形成されている。
【００８１】
以上説明した第１〜第３ＬＥＤ基板４１〜４３においては、それら第１〜第３ＬＥＤ基板４１〜４３に跨がってスルーパス配線路が設けられているが、上流側のＬＥＤ基板ほど電流値が大きいため、上流側のＬＥＤ基板における電源系のスルーパス配線路は、その下流側のＬＥＤ基板における電源系のスルーパス配線路よりも広幅に形成されている。例えば、第１ＬＥＤ基板４１におけるＬＥＤ電源用、ＬＥＤドライバ電源用の各スルーパス配線路７５，７６は、第２ＬＥＤ基板４２におけるＬＥＤ電源用、ＬＥＤドライバ電源用の各スルーパス配線路１１５，１１６よりも広幅に形成されている。
【００８２】
また、ＬＥＤ基板間を接続するためのコネクタの複数の端子のうち、電源系のスルーパス配線路に対応する端子数は、下流側のコネクタよりも上流側のコネクタの方が多くなっている。例えば、第１，第２ＬＥＤ基板４１，４２間を接続するためのコネクタ７４，１１３におけるＬＥＤ電源端子８９ａ，８９ｂ、ＬＥＤドライバ電源端子９０の合計個数は３個であるのに対し、第２，第３ＬＥＤ基板４２，４３間を接続するためのコネクタ１１４，１４３におけるＬＥＤ電源端子８９、ＬＥＤドライバ電源端子９０の合計個数は２個となっている。
【００８３】
これにより、各ＬＥＤ基板毎に必要な電圧を確保しつつ、下流側のＬＥＤ基板では必要以上に太い電源系配線路や必要以上に大きなコネクタを使用する必要がないため、配線のスペース効率を高めることが可能である。
【００８４】
［第４ＬＥＤ基板４４］
第４ＬＥＤ基板４４は、図３に示すように、前後両面側に配線層を有する例えば縦長略矩形状の基板本体１７２を備えている。この基板本体１７２には、図１１に示すように、上流側コネクタ（基板接続用コネクタ）１７３と、下流側コネクタ（基板接続用コネクタ）１７４と、それらコネクタ１７３，１７４間を接続するＬＥＤ電源用、ＬＥＤドライバ電源用、信号用、クロック用及びグラウンド用のスルーパス配線路（所定配線路）１７５〜１７９と、ＬＥＤドライバ電源用、信号用、クロック用及びグラウンド用のスルーパス配線路１７６〜１７９から分岐して接続される例えば１つのＬＥＤドライバ１８０と、そのＬＥＤドライバ１８０とＬＥＤ電源用のスルーパス配線路１７５との間に直列に接続された保護抵抗１８１，１８２及びＬＥＤ１８３〜１８６と、ＬＥＤドライバ１８０の例えば２組６個のＲＧＢ端子と下流側コネクタ１７４との間を接続する例えば２組６本のＬＥＤ駆動配線路１８７ａ〜１８７ｃ，１８８ａ〜１８８ｃと、コネクタ１７３，１７４間を接続する送風電源用配線路１８９ａ及び送風グラウンド用配線路１８９ｂとが設けられている。
【００８５】
上流側コネクタ１７３は、ＬＥＤ電源用のスルーパス配線路１７５が接続される例えば２つのＬＥＤ電源端子８９ａ，８９ｂと、ＬＥＤドライバ電源用のスルーパス配線路１７６が接続される例えば１つのＬＥＤドライバ電源端子９０と、信号用のスルーパス配線路１７７が接続される例えば１つの信号端子９１と、クロック用のスルーパス配線路１７８が接続される例えば１つのクロック端子９２と、グラウンド用のスルーパス配線路１７９が接続される例えば３つのグラウンド端子９３ａ〜９３ｃと、送風電源用配線路１８９ａが接続される送風電源端子１９０ａと、送風グラウンド用配線路１８９ｂが接続される送風グラウンド端子１９０ｂとを備え、それら計１０個の端子が例えば一列に配列されている。そして、その端子配列方向における両端側の各１個が送風電源端子１９０ａ、送風グラウンド端子１９０ｂとなっている。上流側コネクタ１７３における送風電源端子１９０ａ、送風グラウンド端子１９０ｂ以外の８個の端子については、例えばＬＥＤ電源端子８９ａ，８９ｂ、グラウンド端子９３ａ、ＬＥＤドライバ電源端子９０、グラウンド端子９３ｂ、信号端子９１、クロック端子９２、グラウンド端子９３ｃがその順序で配列されている。
【００８６】
下流側コネクタ１７４は、例えばＬＥＤ電源用のスルーパス配線路１７５が接続される例えば１つのＬＥＤ電源端子８９と、ＬＥＤドライバ電源用のスルーパス配線路１７６が接続される例えば１つのＬＥＤドライバ電源端子９０と、信号用のスルーパス配線路１７７が接続される例えば１つの信号端子９１と、クロック用のスルーパス配線路１７８が接続される例えば１つのクロック端子９２と、グラウンド用のスルーパス配線路１７９が接続される例えば２つのグラウンド端子９３ａ，９３ｂと、例えば２組６本のＬＥＤ駆動配線路１８７ａ〜１８７ｃ，１８８ａ〜１８８ｃが接続される例えば２組６個のＬＥＤ接続端子１９１ａ〜１９１ｃ，１９２ａ〜１９２ｃと、送風電源用配線路１８９ａが接続される送風電源端子１９０ａと、送風グラウンド用配線路１８９ｂが接続される送風グラウンド端子１９０ｂとを備え、それら計１４個の端子が例えば７個ずつ２列に配列されている。そして、それら２列の端子配列方向における例えば一端側の２個が送風電源端子１９０ａ、送風グラウンド端子１９０ｂとなっている。
【００８７】
このように第４ＬＥＤ基板４４では、上流側コネクタ１７３における電源系配線路、即ちＬＥＤ電源用、ＬＥＤドライバ電源用、グラウンド用の各スルーパス配線路１７５，１７６，１７９に対応する端子数（ここでは計６個）が、下流側コネクタ１７４における同配線路１７５，１７６，１７９に対応する端子数（ここでは計４個）よりも大となっている。下流側コネクタ１７４における送風電源端子１９０ａ、送風グラウンド端子１９０ｂ以外の１２個の端子については、例えば一方側の列にＬＥＤ電源端子８９、グラウンド端子９３ａ、ＬＥＤドライバ電源端子９０、グラウンド端子９３ｂ、信号端子９１、クロック端子９２がその順序で配列され、また他方側の列に２組６個のＬＥＤ接続端子１９１ａ〜１９１ｃ，１９２ａ〜１９２ｃが配列されている。
【００８８】
図１２は、第４ＬＥＤ基板４４の具体的な配線パターンを配線層毎に示したものである。第４ＬＥＤ基板４４では、前面側の前面配線層１７１ａ（図１２（ａ））にＬＥＤ１８３〜１８６が、背面側の背面配線層１７１ｂ（図１２（ｂ））に上流側コネクタ１７３、下流側コネクタ１７４、ＬＥＤドライバ１８０、保護抵抗１８１，１８２等が夫々配置されている。
【００８９】
上流側コネクタ１７３は例えば背面配線層１７１ｂの下端側に端子配列が左右方向となるように配置され、下流側コネクタ１７４は例えば背面配線層１７１ｂの上端側に端子配列が上下方向となるように配置されている。
【００９０】
コネクタ１７３，１７４の各端子は例えば矩形状で、その配列方向に直交する方向の細長状に形成されている。そして、上流側コネクタ１７３の両端側の送風電源端子１９０ａ、送風グラウンド端子１９０ｂには、夫々送風電源用配線路１８９ａ、送風グラウンド用配線路１８９ｂが端子配列方向（ここでは左右方向）の外側から接続され、同様に下流側コネクタ１７４の例えば下端側の送風電源端子１９０ａ、送風グラウンド端子１９０ｂには、送風電源用配線路１８９ａ、送風グラウンド用配線路１８９ｂが端子配列方向（ここでは上下方向）の外側から接続されている。このように、送風電源用配線路１８９ａ、送風グラウンド用配線路１８９ｂは、コネクタ１７３，１７４の複数の端子のうちそれらの配列方向の最も外側の端子１９０ａ，１９０ｂに対して端子配列方向の外側から接続されているため、送風電源用配線路１８９ａ、送風グラウンド用配線路１８９ｂを広幅に形成しているにも関わらず、他の配線路との干渉を回避することが容易である。また、送風電源端子１９０ａ、送風グラウンド端子１９０ｂは、端子配列方向に直交する方向の細長状に形成されているため、送風電源用配線路１８９ａ、送風グラウンド用配線路１８９ｂをそれら送風電源端子１９０ａ、送風グラウンド端子１９０ｂの長辺側に接続することで接続部の断面積をより大きく確保することができる。
【００９１】
この第４ＬＥＤ基板４４では、送風電源用配線路１８９ａ、送風グラウンド用配線路１８９ｂの他、ＬＥＤ電源用、ＬＥＤドライバ電源用、信号用及びクロック用のスルーパス配線路１７５〜１７８が、ビア９６を介して前面配線層１７１ａ側に回避する一部のバイパス部分を除き、それらの略全体が背面配線層１７１ｂ側に設けられている。即ち、送風電源用配線路１８９ａ、送風グラウンド用配線路１８９ｂは背面配線層１７１ｂ上で基板本体１７２の左縁部１７２ａに沿って配置されており、ＬＥＤ電源用、ＬＥＤドライバ電源用、信号用及びクロック用のスルーパス配線路１７５〜１７８は、同じく背面配線層１７１ｂ上で基板本体１７２の右縁部１７２ｂに沿って配置されている。
【００９２】
そして、ＬＥＤドライバ電源用のスルーパス配線路１７６から分岐したＬＥＤドライバ電源配線路１９３が、ＬＥＤドライバ１８０の電源端子に接続され、信号用のスルーパス配線路１７７から分岐した信号配線路１９４が、ＬＥＤドライバ１８０の信号端子に接続され、クロック用のスルーパス配線路１７８から分岐したクロック配線路１９５が、ＬＥＤドライバ１８０のクロック端子に接続されている。
【００９３】
ここで、ＬＥＤドライバ１８０とこれに対応する保護抵抗１８１，１８２とは、例えば送風電源用配線路１８９ａ、送風グラウンド用配線路１８９ｂとスルーパス配線路１７５〜１７８とに挟まれるように背面配線層１７１ｂにおける略中央に配置されている。
【００９４】
また、背面配線層１７１ｂには１又は複数のベタグラウンドパターン１９６が設けられている。ベタグラウンドパターン１９６は、前面配線層１７１ａ側のベタグラウンドパターン１９７等と共にグラウンド用のスルーパス配線路（グラウンド配線路）１７９を構成するもので、例えばビア９６、ベタグラウンドパターン１９７等を介して上流側コネクタ１７３のグラウンド端子９３ａ〜９３ｃ、下流側コネクタ１７４のグラウンド端子９３ａ，９３ｂ、及びＬＥＤドライバ１８０のグラウンド端子に接続されている。
【００９５】
背面配線層１７１ｂのベタグラウンドパターン１９６は、その一部（又は全部）がＬＥＤドライバ１８０と基板本体１７２との間に配置されており、その周囲をクロック用のスルーパス配線路１７８を含む配線路群、即ち送風電源用配線路１８９ａ、送風グラウンド用配線路１８９ｂ、スルーパス配線路１７５〜１７８等の配線路によって取り囲まれている。またこのベタグラウンドパターン１９６は、ビア９６、ベタグラウンドパターン１９７等を介して上流側コネクタ１７３のグラウンド端子９３ａ〜９３ｃ、下流側コネクタ１７４のグラウンド端子９３ａ，９３ｂに電気的に接続されている。更に、ベタグラウンドパターン１９６と前面配線層１７１ａ側のベタグラウンドパターン（グラウンド配線路，第２導体パターン）１９７とを接続するビア９６のうち、ＬＥＤドライバ１８０の配置領域内に配置されているビア９６が、例えばＬＥＤドライバ１８０の配置領域内における中央領域に集中的に配置されている。これにより、ベタグラウンドパターン１９６及びビア９６を介してＬＥＤドライバ１８０の放熱を効果的に行うことができると共に、このベタグラウンドパターン１９６が拾うノイズによる悪影響を極力排除できる。
【００９６】
ＬＥＤドライバ１８０によって駆動されるＬＥＤ１８３〜１８６は、例えば前面配線層１７１ａの長手方向（上下方向）に略一定の間隔で一列状に配置されている。上側のＬＥＤ１８３，１８４間、下側のＬＥＤ１８５，１８６間は夫々ＬＥＤ間配線路１９８により接続されている。なお、ＬＥＤ１８３〜１８６は、赤色、緑色、青色の各ＬＥＤ素子を内蔵したフルカラー発光型で、例えばアノード側とカソード側の両方に、赤色に対応するＲ電極と緑色に対応するＧ電極と青色に対応するＢ電極とが、例えばＲ電極が中央となるように並んで設けられている。
【００９７】
また、ＬＥＤ１８３，１８６のアノード電極は、ビア９６を介して背面配線層１７１ｂ側に跨がるＬＥＤ電源用配線路２００を介してＬＥＤ電源用のスルーパス配線路１７５に接続され、ＬＥＤ１８４，１８５のカソード電極は、ビア９６を挟んで背面配線層１７１ｂ側に跨がるカソード側配線路２０１を介して保護抵抗１８１，１８２に接続されている。なお、ＬＥＤ電源用配線路２００及びカソード側配線路２０１には、第１ＬＥＤ基板４１等と同様の放熱部１０５ａ，１０５ｂが設けられている。
【００９８】
また、例えば前面配線層（第２配線層）１７１ａには、２組６本のＬＥＤ駆動配線路１８７ａ〜１８７ｃ，１８８ａ〜１８８ｃが配置されている。それらＬＥＤ駆動配線路１８７ａ〜１８７ｃ，１８８ａ〜１８８ｃは、その上流端側が夫々ビア（層間導通部）９６ａ〜９６ｆを経て背面配線層１７１ｂ側でＬＥＤドライバ１８０のＲＧＢ端子１８０ａ〜１８０ｆに接続され（図１３（ｂ２））、下流端側が夫々ビア（層間導通部）９６ｇ〜９６ｌを経て背面配線層（第１配線層）１７１ｂ側で下流側コネクタ１７４のＬＥＤ接続端子１９１ａ〜１９１ｃ，１９２ａ〜１９２ｃに接続されている（図１３（ａ２））。
【００９９】
ＬＥＤ駆動配線路１８７ａ〜１８７ｃ，１８８ａ〜１８８ｃは、図１３（ａ２）に示すように、下流側コネクタ１７４のＬＥＤ接続端子１９１ａ〜１９１ｃ，１９２ａ〜１９２ｃから例えば端子配列方向（ここでは上下方向）に直交する方向（ここでは横向き）に平行に引き出されて夫々ビア９６ｇ〜９６ｌに接続されており、それらビア（層間導通部）９６ｇ〜９６ｌは、下流側コネクタ１７４の端子配列方向（ここでは上下方向）に対して斜めとなるように例えば一列状に配列されている。
【０１００】
ここで、ビア９６ｇ〜９６ｌの直径は、下流側コネクタ１７４の近傍におけるＬＥＤ駆動配線路１８７ａ〜１８７ｃ，１８８ａ〜１８８ｃのピッチ（ここではＬＥＤ接続端子１９１ａ〜１９１ｃ，１９２ａ〜１９２ｃのピッチと同じ）よりも大であり、このように下流側コネクタ１７４の端子配列方向に対して斜めに配列することにより、ビア９６ｇ〜９６ｌを互いの干渉を避けつつ高いスペース効率で配置することが可能となっている。
【０１０１】
また前面配線層１７１ａ側では、図１３（ａ１）に示すように、ＬＥＤ駆動配線路１８７ａ〜１８７ｃ，１８８ａ〜１８８ｃのうち、一端側のＬＥＤ駆動配線路（特定配線路）１８８ｃを除くＬＥＤ駆動配線路（所定配線路）１８７ａ〜１８７ｃ，１８８ａ，１８８ｂについては、それぞれビア９６ｇ〜９６ｋから例えば斜め下向き（第１方向）に互いに略平行に引き出され、更に屈折部２７１ａ〜２７１ｅを介して例えば下向き（第２方向）に互いに略平行に配設されている。また、一端側のＬＥＤ駆動配線路（特定配線路）１８８ｃについては、ビア９６ｌから例えば下向き（第２方向）に引き出されている。そして、屈折部２７１ａ〜２７１ｅは略直線状に配列されており、更にその直線上に、ＬＥＤ駆動配線路（特定配線路）１８８ｃに対応するビア９６ｌが配置されている。
【０１０２】
ここで、第１方向（斜め下向き）と第２方向（下向き）とは共に、背面配線層１７１ｂ側におけるＬＥＤ駆動配線路１８７ａ〜１８７ｃ，１８８ａ〜１８８ｃの下流側コネクタ１７４からの引き出し方向（横向き）とは異なっているが、第１方向と第２方向との一方を同引き出し方向と同じにしてもよい。
【０１０３】
またＬＥＤ駆動配線路１８７ａ〜１８７ｃ，１８８ａ〜１８８ｃは、図１３（ｂ２）に示すように、ＬＥＤドライバ１８０のＲＧＢ端子１８０ａ〜１８０ｆから例えば端子配列方向（ここでは左右方向）に直交する方向に平行に引き出されて夫々ビア９６ａ〜９６ｆに接続されており、それらビア（層間導通部）９６ａ〜９６ｆは、ＬＥＤドライバ１８０におけるＲＧＢ端子１８０ａ〜１８０ｆの端子配列方向（ここでは左右方向）に沿うジグザグ状に配列されている。なお、ビア９６ａとビア９６ｂ、ビア９６ｃとビア９６ｄ、ビア９６ｅとビア９６ｆが夫々第１斜め方向（例えば図１３（ｂ２）における右上がり）の第１傾斜配列部の一例であり、ビア９６ｂとビア９６ｃ、ビア９６ｄとビア９６ｅが夫々第２斜め方向（例えば図１３（ｂ２）における右下がり）の第２傾斜配列部の一例である。
【０１０４】
ここで、ビア９６ａ〜９６ｆの直径は、ＬＥＤドライバ１８０のＲＧＢ端子１８０ａ〜１８０ｆの近傍におけるＬＥＤ駆動配線路１８７ａ〜１８７ｃ，１８８ａ〜１８８ｃのピッチ（ここではＲＧＢ端子１８０ａ〜１８０ｆのピッチと同じ）よりも大であり、このようにＲＧＢ端子１８０ａ〜１８０ｆの端子配列方向に沿うジグザグ状に配列することにより、ビア９６ａ〜９６ｆを互いの干渉を避けつつ高いスペース効率で配置することが可能となっている。
【０１０５】
また前面配線層１７１ａ側では、図１３（ｂ１）に示すように、ＬＥＤ駆動配線路１８７ａ〜１８７ｃ，１８８ａ〜１８８ｃが、それぞれビア９６ａ〜９６ｆから例えば上向き（第１方向）に互いに略平行に引き出され、更に屈折部２７２ａ〜２７１ｆを介して例えば斜め上向き（第２方向）に互いに略平行に配設されている。そして、屈折部２７２ａ〜２７２ｆは略直線状に配列されている。なお、第１方向は、背面配線層１７１ｂ側におけるＬＥＤ駆動配線路１８７ａ〜１８７ｃ，１８８ａ〜１８８ｃのＬＥＤドライバ１８０からの引き出し方向と同じであり、第２方向は同引き出し方向とは異なっているが、第１方向と第２方向とを共に同引き出し方向と異ならせてもよい。
【０１０６】
なお、ＬＥＤ間配線路１９８、ＬＥＤ電源用配線路２００及びカソード側配線路２０１には、第１ＬＥＤ基板４１等と同様の放熱部１０５ａ，１０５ｂが設けられている。また、第４ＬＥＤ基板４４では、送風電源用配線路１８９ａ、送風グラウンド用配線路１８９ｂは、ＬＥＤ１８３〜１８６を駆動するための信号用、クロック用のスルーパス配線路１７７，１７８、信号配線路１９４、クロック配線路１９５等のデジタル信号配線路よりも広幅に形成されている。
【０１０７】
［第５ＬＥＤ基板４５］
第５ＬＥＤ基板４５は、図３に示すように、前後両面側に配線層を有する例えば縦長略矩形状の基板本体２１２を備えている。そしてこの基板本体２１２に、図１１に示すように上流側コネクタ（基板接続用コネクタ）２１３と、下流側コネクタ（基板接続用コネクタ）２１４と、それらコネクタ２１３，２１４間を接続するＬＥＤ電源用、ＬＥＤドライバ電源用、信号用、クロック用及びグラウンド用のスルーパス配線路（所定配線路）２１５〜２１９と、ＬＥＤ電源用のスルーパス配線路２１５と上流側コネクタ２１３との間に直列に接続された保護抵抗２２０，２２１及びＬＥＤ２２３〜２２６と、送風用コネクタ（演出手段接続用コネクタ）２２７とが設けられている。
【０１０８】
上流側コネクタ２１３は、ハーネス６６により第４ＬＥＤ基板４４側の下流側コネクタ１７４と接続されるもので、下流側コネクタ１７４と同じ端子構成となっている。一方の下流側コネクタ２１４は、上流側コネクタ２１３の端子構成とは異なっており、ＬＥＤ電源用のスルーパス配線路２１５が接続される例えば１つのＬＥＤ電源端子８９と、ＬＥＤドライバ電源用のスルーパス配線路２１６が接続される例えば１つのＬＥＤドライバ電源端子９０と、信号用のスルーパス配線路２１７が接続される例えば１つの信号端子９１と、クロック用のスルーパス配線路２１８が接続される例えば１つのクロック端子９２と、グラウンド用のスルーパス配線路２１９が接続される例えば２つのグラウンド端子９３ａ，９３ｂとを備え、それら計６個の端子が例えば１列状に配列されている。下流側コネクタ２１４の６個の端子については、例えばＬＥＤ電源端子８９、グラウンド端子９３ａ、ＬＥＤドライバ電源端子９０、グラウンド端子９３ｂ、信号端子９１、クロック端子９２がその順序で配列されている。
【０１０９】
送風用コネクタ２２７は、ハーネス６８により送風演出手段３７の送風手段３７ａと接続されるもので、送風電源端子２２９ａ、送風グラウンド端子２２９ｂが設けられている。送風用コネクタ２２７の送風電源端子２２９ａは、送風電源用配線路２２８ａを介して上流側コネクタ２１３の送風電源端子１９０ａに接続され、送風グラウンド端子２２９ｂは、送風グラウンド用配線路２２８ｂを介して上流側コネクタ２１３の送風グラウンド端子１９０ｂに接続されている。
【０１１０】
図１４は、第５ＬＥＤ基板４５の具体的な配線パターンを配線層毎に示したものである。第５ＬＥＤ基板４５では、前面側の前面配線層２１１ａ（図１４（ａ））にＬＥＤ２２３〜２２６及び保護抵抗２２０，２２１が、背面側の背面配線層２１１ｂ（図１４（ｂ））に上流側コネクタ２１３、下流側コネクタ２１４、送風用コネクタ２２７等が夫々配置されている。
【０１１１】
上流側コネクタ２１３は例えば背面配線層２１１ｂの下端側に端子配列が上下方向となるように配置され、下流側コネクタ２１４は例えば背面配線層２１１ｂの上端部一側に端子配列が上下方向となるように配置され、送風用コネクタ２２７は例えば背面配線層２１１ｂの上端部一側に端子配列が上下方向となるように配置されている。
【０１１２】
コネクタ２１３，２１４，２２７の各端子は例えば矩形状で、その配列方向に直交する方向の細長状に形成されている。そして、上流側コネクタ２１３の例えば下端側の送風電源端子１９０ａ、送風グラウンド端子１９０ｂには、送風電源用配線路２２８ａ、送風グラウンド用配線路２２８ｂが端子配列方向（ここでは上下方向）の外側から接続されており、送風用コネクタ２２７の送風電源端子２２９ａ、送風グラウンド端子２２９ｂには送風電源用配線路２２８ａ、送風グラウンド用配線路２２８ｂが端子配列方向（ここでは上下方向）の外側から接続されている。
【０１１３】
この第５ＬＥＤ基板４５では、例えば送風電源用配線路２２８ａ、送風グラウンド用配線路２２８ｂとＬＥＤ電源用のスルーパス配線路２１５とについては、例えばその略全体がＬＥＤ２２３〜２２６とは別の背面配線層２１１ｂ側に設けられているが、ＬＥＤドライバ電源用、信号用及びクロック用のスルーパス配線路２１６〜２１８については、例えばその両端側、即ち各コネクタ２１３，２１４への接続部近傍の所定範囲を除き、その略全体がＬＥＤ２２３〜２２６と同じ前面配線層２１１ａ側に設けられている。
【０１１４】
即ち、送風電源用配線路２２８ａは背面配線層２１１ｂ上で基板本体２１２の右縁部２１２ｂに沿って配置され、送風グラウンド用配線路２２８ｂは背面配線層２１１ｂ上で基板本体２１２の左縁部２１２ａに沿って配置されている。また、ＬＥＤ電源用のスルーパス配線路２１５は、背面配線層２１１ｂ上で例えば送風電源用配線路２２８ａに沿って配置されている。なお、ＬＥＤ電源用のスルーパス配線路２１５から分岐したＬＥＤ電源用配線路２３１，２３２が、ビア９６を介して例えばＬＥＤ２２３，２２５のアノード電極に接続されている。
【０１１５】
また、ＬＥＤドライバ電源用、信号用及びクロック用のスルーパス配線路２１６〜２１８は、前面配線層２１１ａにおける例えば右縁部２１２ｂ側に上下方向に配置され、その上流端側が夫々ビア９６を経て背面配線層２１１ｂ側で上流側コネクタ２１３のＬＥＤドライバ電源端子９０，信号端子９１，クロック端子９２に夫々接続され、下流端側が夫々ビア９６を経て背面配線層２１１ｂ側で下流側コネクタ２１４のＬＥＤドライバ電源端子９０，信号端子９１，クロック端子９２に夫々接続されている。
【０１１６】
前面配線層２１１ａには１又は複数のベタグラウンドパターン２３３が設けられている。ベタグラウンドパターン２３３は、背面配線層２１１ｂ側のベタグラウンドパターン２３４等と共にグラウンド用のスルーパス配線路（グラウンド配線路）２１９を構成するもので、例えばビア９６、ベタグラウンドパターン２３４等を介してコネクタ２１３，２１４のグラウンド端子９３ａ，９３ｂに接続されている。
【０１１７】
ＬＥＤ２２３〜２２６は、例えば前面配線層２１１ａの長手方向（上下方向）に略一定の間隔で一列状に配置されている。上側のＬＥＤ２２３，２２４及びその下側等に配置された保護抵抗２２０はＬＥＤ間配線路２３５，カソード側配線路２３６により直列に接続され、下側のＬＥＤ２２５，２２６及びその下側等に配置された保護抵抗２２１はＬＥＤ間配線路２３７，カソード側配線路２３８により直列に接続されている。そして、保護抵抗２２０は、図１４，図１５に示すように、前面配線層（第２配線層）２１１ａからビア９６ｍ〜９６ｏを挟んで背面配線層（第１配線層）２１１ｂ側に跨がるＬＥＤ駆動配線路２３９ａ〜２３９ｃにより上流側コネクタ２１３のＬＥＤ接続端子１９１ａ〜１９１ｃに接続され、保護抵抗２２１は、前面配線層（第２配線層）２１１ａからビア９６ｐ〜９６ｒを挟んで背面配線層（第１配線層）２１１ｂ側に跨がるＬＥＤ駆動配線路２４０ａ〜２４０ｃにより上流側コネクタ２１３のＬＥＤ接続端子１９２ａ〜１９２ｃに接続されている。
【０１１８】
ＬＥＤ駆動配線路２３９ａ〜２３９ｃ，２４０ａ〜２４０ｃは、図１５（ｂ）に示すように、上流側コネクタ２１３のＬＥＤ接続端子１９１ａ〜１９１ｃ，１９２ａ〜１９２ｃから例えば端子配列方向（ここでは上下方向）に直交する方向に平行に引き出されて夫々ビア（層間導通部）９６ｍ〜９６ｒに接続されており、それらビア９６ｍ〜９６ｒは、第１のビア群（層間導通部群）を構成するビア９６ｍ〜９６ｏと、第２のビア群（層間導通部群）を構成するビア９６ｐ〜９６ｒとが、互いに略平行で且つ夫々上流側コネクタ２１３の端子配列方向（ここでは上下方向）に対して斜めとなるように２列に配列されている。
【０１１９】
ここで、ビア９６ｍ〜９６ｒの直径は、上流側コネクタ２１３の近傍におけるＬＥＤ駆動配線路２３９ａ〜２３９ｃ，２４０ａ〜２４０ｃのピッチ（ここではＬＥＤ接続端子１９１ａ〜１９１ｃ，１９２ａ〜１９２ｃのピッチと同じ）よりも大であり、このように複数のビア群を上流側コネクタ２１３の端子配列方向に対して斜めで且つ互いに略平行に配列することにより、ビア９６ｍ〜９６ｒを互いの干渉を避けつつ高いスペース効率で配置することが可能となっている。
【０１２０】
また前面配線層２１１ａ側では、図１５（ａ）に示すように、ＬＥＤ駆動配線路２３９ａ〜２３９ｃが、ビア９６ｍ〜９６ｏから例えば上向きに互いに略平行に引き出され、またＬＥＤ駆動配線路２４０ａ〜２４０ｃが、ビア９６ｐ〜９６ｒから例えば下向きに互いに略平行に引き出されている。このように、第１のビア群と第２のビア群とで前面配線層２１１ａ側におけるＬＥＤ駆動配線路２３９ａ〜２３９ｃ，２４０ａ〜２４０ｃの引き出し方向が異なっている。
【０１２１】
なお、ＬＥＤ電源用配線路２３１，２３２、ＬＥＤ間配線路２３５，２３７及びカソード側配線路２３６，２３８には、第１ＬＥＤ基板４１等と同様の放熱部１０５ａ，１０５ｂが設けられている。また、第５ＬＥＤ基板４５では、送風電源用配線路２２８ａ、送風グラウンド用配線路２２８ｂは、ＬＥＤを駆動するための信号用、クロック用のスルーパス配線路２１７，２１８等のデジタル信号配線路よりも広幅に形成されている。
【０１２２】
［第６ＬＥＤ基板４６］
第６ＬＥＤ基板４６は、図３に示すように、前後両面側に配線層を有する例えば略ドーナツ型の基板本体２４２を備えている。そしてこの基板本体２４２に、図１１に示すように上流側コネクタ２４３、ＬＥＤドライバ２４４、ＬＥＤ２４５〜２４８、保護抵抗２４９，２５０等が設けられている。上流側コネクタ２４３は、ハーネス６７により第５ＬＥＤ基板４５側の下流側コネクタ２１４と接続されるもので、その下流側コネクタ２１４と同じ端子構成となっている。
【０１２３】
図１６は、第６ＬＥＤ基板４６の具体的な配線パターンを配線層毎に示したものである。第６ＬＥＤ基板４６では、前面側の前面配線層２４１ａ（図１６（ａ））にＬＥＤ２４５〜２４８が、背面側の背面配線層２４１ｂ（図１６（ｂ））に上流側コネクタ２４３、ＬＥＤドライバ２４４、保護抵抗２４９，２５０等が夫々配置されている。
【０１２４】
上流側コネクタ２４３は、背面配線層２４１ｂの例えば下部側に、端子配列が基板本体２４２の略周方向となるように配置されている。また、ＬＥＤドライバ２４４は、背面配線層２４１ｂにおける上流側コネクタ２４３から離れた位置に配置され、例えばその両側に、ＬＥＤドライバ２４４のＲＧＢ端子に接続される保護抵抗２４９，２５０が配置されている。そして、ＬＥＤドライバ電源用、信号用、クロック用の各配線路２５１〜２５３により、上流側コネクタ２４３のＬＥＤドライバ電源端子９０、信号端子９１、クロック端子９２とＬＥＤドライバ２４４とが接続されている。なお、ＬＥＤドライバ電源用、信号用、クロック用の各配線路２５１〜２５３は、例えばそれらの略全体が背面配線層２４１ｂ側に設けられている。
【０１２５】
ＬＥＤ２４５〜２４８は、例えば前面配線層２４１ａの周方向に略一定間隔で配置されており、例えばＬＥＤ２４５，２４６間、ＬＥＤ２４７，２４８間が夫々ＬＥＤ間配線路２５４により接続されている。なお、ＬＥＤ２４５〜２４８は、赤色、緑色、青色の各ＬＥＤ素子を内蔵したフルカラー発光型で、例えばアノード側とカソード側の両方に、赤色に対応するＲ電極と緑色に対応するＧ電極と青色に対応するＢ電極とが、例えばＲ電極が中央となるように並んで設けられている。また、ＬＥＤ２４６，２４７のアノード電極は、ビア９６を介して背面配線層２４１ｂ側に跨がるＬＥＤ電源用配線路２５５を介して上流側コネクタ２４３のＬＥＤ電源端子８９に接続され、ＬＥＤ２４５，２４８のカソード電極は、ビア９６を挟んで背面配線層２４１ｂ側に跨がるカソード側配線路２５６を介して保護抵抗２４９，２５０に接続されている。なお、ＬＥＤ間配線路２５４、ＬＥＤ電源用配線路２５５及びカソード側配線路２５６には、第１ＬＥＤ基板４１等と同様の放熱部１０５ａ，１０５ｂが設けられている。
【０１２６】
前面配線層２４１ａには、例えばベタグラウンドパターン２５７が設けられている。このベタグラウンドパターン２５７は、背面配線層２４１ｂ側のベタグラウンドパターン２５８等と共にグラウンド配線路２５９を構成するもので、例えばビア９６、ベタグラウンドパターン２５８等を介して上流側コネクタ２４３のグラウンド端子９３ａ，９３ｂ及びＬＥＤドライバ２４４のグラウンド端子に接続されている。
【０１２７】
ベタグラウンドパターン（第１導体パターン）２５８は、その一部がＬＥＤドライバ２４４と基板本体２４２との間に配置されている。また、そのベタグラウンドパターン２５８と前面配線層２４１ａ側のベタグラウンドパターン（グラウンド配線路，第２導体パターン）２５７とを接続するビア９６のうち、ＬＥＤドライバ２４４の配置領域内に配置されているビア９６が、例えば前面配線層２４１ａ側のベタグラウンドパターン２５７の配置に合わせて例えばＬＥＤドライバ２４４の一つの縁部の近傍に配置されている。
【０１２８】
以上説明した右配線経路５８においては、ＬＥＤ基板間を接続するためのコネクタの複数の端子のうち、電源系のスルーパス配線路に対応する端子数は、下流側のコネクタよりも上流側のコネクタの方が多くなっている。例えば、前扉中継基板５６，第４ＬＥＤ基板４４間を接続するためのコネクタ１７３におけるＬＥＤ電源端子８９ａ，８９ｂ、ＬＥＤドライバ電源端子９０の合計個数は３個であるのに対し、第４，第５ＬＥＤ基板４４，４５間を接続するためのコネクタ１７４，２１３におけるＬＥＤ電源端子８９、ＬＥＤドライバ電源端子９０の合計個数は２個となっている。
【０１２９】
これにより、各ＬＥＤ基板毎に必要な電圧を確保しつつ、下流側のＬＥＤ基板では必要以上に大きなコネクタを使用する必要がないため、配線のスペース効率を高めることが可能である。
【０１３０】
図１７は本発明の第２の実施形態を例示し、第１の実施形態を一部変更して、ＬＥＤドライバの裏面に導体部を設け、その導体部とベタグラウンドパターンとを半田により連結した例を示している。
【０１３１】
第２ＬＥＤ基板４２（図８参照）のＬＥＤドライバ１２０を例に説明すると、本実施形態のＬＥＤドライバ（発熱性部品）１２０は、その裏面に銅箔その他の導体部２６１を備えている。この導体部２６１は、ＬＥＤドライバ１２０の裏面中央に対応して例えば矩形状に形成されている。もちろん、導体部２６１の形状は任意であり、ＬＥＤドライバ１２０の裏面の略全面に導体部２６１を設けてもよい。
【０１３２】
また、第２ＬＥＤ基板４２の背面配線層１１１ｂにおけるＬＥＤドライバ１２０の配置位置には、ベタグラウンドパターン１３４の一部を絶縁皮膜１０６から露出させた導体露出部２６２が、例えばＬＥＤドライバ１２０側の導体部２６１に対応して設けられている。なお、ベタグラウンドパターン１３４におけるＬＥＤドライバ１２０の配置領域内には、その中央領域に集中的にビア９６が配置されているが、本実施形態ではそれらのビア９６の配置領域を含むように導体露出部２６２が設けられている。
【０１３３】
そして、互いに対向するＬＥＤドライバ１２０側の導体部２６１と背面配線層１１１ｂ側の導体露出部２６２とが、例えば半田（導通連結手段）２６３によって連結されている。これにより、第１の実施形態に比べてＬＥＤドライバ１２０からベタグラウンドパターン１３４への熱伝導が促進されるため、ＬＥＤドライバ１２０で発生した熱をより効率よく放熱することができる。
【０１３４】
なお、第２ＬＥＤ基板４２の他のＬＥＤドライバ１２１の他、他のＬＥＤ基板４１，４３等に配置したＬＥＤドライバについても同様の構成を採用できる。
【０１３５】
図１８は本発明の第３の実施形態を例示し、第２の実施形態を一部変更して、ＬＥＤドライバの配置領域内に設けられた複数のビア（層間導通部）を、ＬＥＤドライバの配置領域内における中央領域ではなく、配置領域内における周辺領域に配置した例を示している。
【０１３６】
第２の実施形態の第２ＬＥＤ基板４２では、図１７に示すように、ＬＥＤドライバ１２０と基板本体１１２との間にベタグラウンドパターン１３４の一部が配置され、そのベタグラウンドパターン１３４と前面配線層１１１ａ側のベタグラウンドパターン１３５とを接続するビア９６が、ＬＥＤドライバ１２０の配置領域内における中央領域に集中的に配置されているが、本実施形態では、図１８に示すように、それらのビア９６がＬＥＤドライバ１２０の配置領域内における中央領域ではなく、配置領域内における中央領域の外側の周辺領域に略均等に配置されている。
【０１３７】
また、本実施形態のＬＥＤドライバ１２０は、第２の実施形態と同様、その裏面に銅箔その他の導体部２６１を備えている。この導体部２６１は、ＬＥＤドライバ１２０の裏面中央に対応して例えば矩形状に形成されている。また、第２ＬＥＤ基板４２の背面配線層１１１ｂにおけるＬＥＤドライバ１２０の配置位置には、ベタグラウンドパターン１３４の一部を絶縁皮膜１０６から露出させた導体露出部２６２が、例えばＬＥＤドライバ１２０側の導体部２６１に対応して設けられている。なお、本実施形態の導体露出部２６２は、ＬＥＤドライバ１２０の配置領域内における周辺領域に設けられたビア９６にかからない範囲に設けられている。
【０１３８】
そして、互いに対向するＬＥＤドライバ１２０側の導体部２６１と背面配線層１１１ｂ側の導体露出部２６２とが、例えば半田（導通連結手段）２６３によって連結されている。このように、ＬＥＤドライバ１２０の配置領域内に設けられた複数のビア（層間導通部）９６を、ＬＥＤドライバの配置領域内における周辺領域に配置した場合には、第２の実施形態のように中央領域に配置する場合に比べて放熱効果の点では劣る可能性があるものの、ベタグラウンドパターン１３４が拾うノイズによるＬＥＤドライバ１２０への悪影響を排除するという観点ではより優れていると考えられる。
【０１３９】
また、半田２６３による連結領域内にビア９６がかかっていないため、第２の実施形態のように半田２６３による連結領域内にビア９６がかかっている場合と比べてＬＥＤドライバ１２０をより強固に固定できる。その意味では、本実施形態は大型の発熱性部品の場合により効果的である。
【０１４０】
なお、ＬＥＤドライバ１２０の配置領域内における周辺領域だけでなくその内側の中央領域にもビア９６を配置すると共に、中央領域よりも周辺領域の方がそれらビア９６の配置密度を高くしてもよい。この場合には、例えば半田（導通連結手段）２６３による連結領域内に一部のビア９６がかかってもよい。また、本実施形態ではＬＥＤドライバ１２０側の導体部２６１と背面配線層１１１ｂ側の導体露出部２６２とを半田（導通連結手段）２６３によって連結した例を示したが、第１の実施形態のように導通連結手段による連結を行わなくてもよい。
【０１４１】
図１９は本発明の第４の実施形態を例示し、第１の実施形態を一部変更して、ＬＥＤ基板の基板本体に、前後の表面層の他に１以上の中間層を含む３以上の配線層を設け、その中間層に、スピーカ（所定演出手段）の駆動配線路とグラウンド配線路とを設けた例を示している。
【０１４２】
図１９は、本実施形態の第３ＬＥＤ基板４３についての具体的な配線パターンを配線層毎に示したものである。本実施形態の第３ＬＥＤ基板４３では、前面側の前面配線層１４１ａと背面側の背面配線層１４１ｂに加えて、例えば１つの中間層１４１ｃを備えている。
【０１４３】
前面配線層１４１ａには、第１の実施形態の前面配線層１４１ａと同様にＬＥＤ１４７〜１５０とそれらを接続するＬＥＤ電源用配線路１６２、ＬＥＤ間配線路１６１、カソード側配線路１６３、ベタグラウンドパターン１５９等が配置されているが、スピーカ駆動配線路１５４ａ〜１５４ｄは設けられていない。背面配線層１４１ｂには、第２の実施形態と同様、上流側コネクタ１４３、スピーカ用コネクタ１４４，１４５、ＬＥＤドライバ１４６、保護抵抗１５１，１５２、ＬＥＤドライバ電源用、信号用、クロック用の各配線路１５５〜１５７、ベタグラウンドパターン１５８等が夫々配置されている。
【０１４４】
また中間層１４１ｃには、スピーカ駆動配線路１５４ａ〜１５４ｄとベタグラウンドパターン２６４とが設けられている。スピーカ駆動配線路１５４ａ，１５４ｂは、それらの一端側がビア９６等を介して背面配線層１４１ｂ側で上流側コネクタ１４３のスピーカ端子９４ａ，９４ｂに、他端側がビア９６等を介して背面配線層１４１ｂ側でスピーカ用コネクタ１４４のスピーカ端子１５３ａ，１５３ｂに夫々接続されている。また、スピーカ駆動配線路１５４ｃ，１５４ｄは、それらの一端側がビア９６等を介して背面配線層１４１ｂ側で上流側コネクタ１４３のスピーカ端子９４ｃ，９４ｄに、他端側がビア９６等を介して背面配線層１４１ｂ側でスピーカ用コネクタ１４５のスピーカ端子１５３ｃ，１５３ｄに夫々接続されている。
【０１４５】
また、中間層１４１ｃのベタグラウンドパターン２６４は、前面配線層１４１ａ側のベタグラウンドパターン１５９、背面配線層１４１ｂ側のベタグラウンドパターン１５８等と共にグラウンド配線路１６０を構成するもので、例えばビア９６、ベタグラウンドパターン１５８，１５９等を介して上流側コネクタ１４３のグラウンド端子９３ａ，９３ｂ等に接続されている。
【０１４６】
以上のように、スピーカ（所定演出手段）の駆動配線路とグラウンド配線路とを、ＬＥＤドライバ１４６や他の配線路が配置される表面層ではなく中間層に設け、中間層に設けた駆動配線路を、その両側の表面層に設けたベタグラウンドパターンで挟み込むことで、ノイズによる悪影響を極力排除できる。また、ＬＥＤ系配線路よりも広幅に形成された駆動配線路を中間層に設けることで、表面層のスペースをより有効に活用することができると共に、基板の小型化が可能である。なお、中間層を２層以上設ける場合、例えば何れかの中間層に駆動配線路を設け、その中間層の両側の層（共に中間層、又は中間層と一方の表面層）にベタグラウンドパターンを設けることが望ましい。
【０１４７】
図２０及び図２１は本発明の第５の実施形態を例示し、第１の実施形態を一部変更して、並列に接続された赤色、緑色、青色の各ＬＥＤ素子のうち、赤色ＬＥＤ素子にのみ保護抵抗を接続した例を示している。
【０１４８】
図２０は本実施形態の第１ＬＥＤ基板４１について具体的な配線パターンを配線層毎に示したものである。本実施形態の第１ＬＥＤ基板４１がその配線パターンにおいて第１の実施形態（図５）と異なるのは、ＬＥＤ８４，８５及びＬＥＤ８６，８７に対して、赤色ＬＥＤ素子に対応するＲ配線路にのみ保護抵抗８２，８３を配置し、緑色ＬＥＤ素子、青色ＬＥＤ素子に対応するＧ配線路、Ｂ配線路には保護抵抗を配置していない点のみである。
【０１４９】
ＬＥＤ８４，８５及びＬＥＤ８６，８７においては、図２１に示す緑色ＬＥＤ素子８４Ｇ，８５Ｇ，８６Ｇ，８７Ｇと青色ＬＥＤ素子８４Ｂ，８５Ｂ，８６Ｂ，８７Ｂとは動作電圧が略同じであるのに対し、赤色ＬＥＤ素子８４Ｒ，８５Ｒ，８６Ｒ，８７Ｒの動作電圧はそれよりも低くなっている。また、Ｒ配線路に配置された保護抵抗８２は、図２１に示すように、ＬＥＤ８４，８５における赤色ＬＥＤ素子８４Ｒ，８５Ｒの両端電圧（動作電圧の合計値）ＶＦＲと保護抵抗８２の両端電圧Ｖｒとの和が、緑色ＬＥＤ素子８４Ｇ，８５Ｇ、青色ＬＥＤ素子８４Ｂ，８５Ｂの各両端電圧（動作電圧の合計値）ＶＦＧ，ＶＦＢと略等しくなるようにその抵抗値が設定されている。なお、緑色ＬＥＤ素子８４Ｇ，８５Ｇ、青色ＬＥＤ素子８４Ｂ，８５Ｂの各両端電圧（動作電圧の合計値）ＶＦＧ，ＶＦＢは電源電圧Ｖ以下とする。保護抵抗８３についても同様に抵抗値が設定されている。
【０１５０】
以上のように、並列に接続された赤色、緑色、青色の各ＬＥＤ素子のうちの赤色ＬＥＤ素子にのみ保護抵抗を直列に接続し、赤色ＬＥＤ素子の両端電圧と保護抵抗の両端電圧との和を、緑色ＬＥＤ素子、青色ＬＥＤ素子の各両端電圧と略等しくすることにより、緑色，青色の各ＬＥＤ素子には保護抵抗を接続する必要がないため、保護抵抗の数を少なくすることができる。
【０１５１】
図２２は本発明の第６の実施形態を例示し、第１の実施形態を一部変更して、ＬＥＤに設けられているＧ，Ｒ，Ｂの３つの電極に接続されるＧ，Ｒ，Ｂの３つの配線路の全てに放熱部を設けた例を示している。
【０１５２】
図２２（ａ）に示すように、例えば第１ＬＥＤ基板４１（図５等）のＬＥＤ間配線路９５のうち、Ｇ配線路９５Ｇ及びＢ配線路９５Ｂは、夫々ＬＥＤ８４のカソード側のＧ電極ＫＧ、Ｂ電極ＫＢに対して、電極配列方向の外側から接続されると共に、その接続部の近傍に、それらの配線路における他の部分よりも広幅の放熱部１０５ａ，１０５ａが設けられている。また、それら放熱部１０５ａ，１０５ａには、電極配列方向の内側（Ｒ配線路９５Ｒ側）から外側に向けて凹部２６５が夫々設けられている。
【０１５３】
また、ＬＥＤ間配線路９５のうちのＲ配線路９５Ｒには、ＬＥＤ８４のカソード側のＲ電極ＫＲとの接続部に、電極配列方向の両側に拡幅してその拡幅端側が放熱部１０５ａ，１０５ａの凹部２６５内に挿入されている放熱部１０５ｃが設けられている。
【０１５４】
以上のように、ＬＥＤに設けられているＧ，Ｒ，Ｂの３つの電極に接続されるＧ，Ｒ，Ｂの３つの配線路の全てに放熱部を設けることで、ＬＥＤに発生する熱をより効率よく放熱することができる。
【０１５５】
なお、図２２（ｂ）に示すように、Ｇ配線路９５Ｇ及びＢ配線路９５Ｂの放熱部１０５ａ，１０５ａに凹部２６５を設けず、Ｒ配線路９５Ｒの放熱部１０５ｃを、放熱部１０５ａ，１０５ａと干渉しない程度の幅に形成してもよい。
【０１５６】
図２３は本発明の第７の実施形態を例示し、第１の実施形態におけるＬＥＤ駆動配線路１８７ａ〜１８７ｃ，１８８ａ〜１８８ｃの配設態様（図１３等）を一部変更した例を示している。
【０１５７】
本実施形態では、図２３（ａ）に示すように、前面配線層１７１ａ側のＬＥＤ駆動配線路１８７ａ〜１８７ｃ，１８８ａ〜１８８ｃが、それぞれビア９６ｇ〜９６ｌから例えば斜め下向き（第１方向）に互いに略平行に引き出され、更に屈折部２７１ａ〜２７１ｆを介して例えば下向き（第２方向）に互いに略平行に配設されている。そして、屈折部２７１ａ〜２７１ｆは略直線状に配列されている。このように、一端側のＬＥＤ駆動配線路（特定配線路）１８８ｃを含め、ＬＥＤ駆動配線路１８７ａ〜１８７ｃ，１８８ａ〜１８８ｃの全てをビア９６ｇ〜９６ｌから第１方向に引き出すように構成してもよい。
【０１５８】
また本実施形態では、図２３（ｂ）に示すように、前面配線層１７１ａ側のＬＥＤ駆動配線路１８７ａ〜１８７ｃ，１８８ａ〜１８８ｃのうち、一端側のＬＥＤ駆動配線路（特定配線路）１８７ａを除くＬＥＤ駆動配線路（所定配線路）１８７ｂ，１８７ｃ，１８８ａ〜１８８ｃについては、それぞれビア９６ｂ〜９６ｆから例えば上向き（第１方向）に互いに略平行に引き出され、更に屈折部２７２ｂ〜２７２ｆを介して例えば斜め上向き（第２方向）に互いに略平行に配設されている。また、一端側のＬＥＤ駆動配線路（特定配線路）１８７ａについては、ビア９６ａから例えば斜め上向き（第２方向）に引き出されている。そして、屈折部２７２ｂ〜２７２ｆは略直線状に配列されており、更にその直線上に、ＬＥＤ駆動配線路（特定配線路）１８７ａに対応するビア９６ａが配置されている。このように、複数のビア（層間導通部）９６ａ〜９６ｆを複数の端子の配列方向に沿ってジグザグ状に配列した場合についても、複数の配線路のうち、一端側の特定配線路を除く所定配線路をビアから第１方向に互いに略平行に引き出すと共に屈折部を介して第２方向に互いに略平行に配設し、特定配線路を、ビアから第２方向に引き出すように配設してもよい。
【０１５９】
図２４，図２５はそれぞれ本発明の第８，第９の実施形態を例示し、第１の実施形態におけるＬＥＤ駆動配線路２３９ａ〜２３９ｃ，２４０ａ〜２４０ｃの配設態様（図１５等）を一部変更した例を示している。
【０１６０】
第８の実施形態では、図２４に示すように、前面配線層２１１ａ側のＬＥＤ駆動配線路２３９ａ〜２３９ｃ，２４０ａ〜２４０ｃのうち、一端側のＬＥＤ駆動配線路（特定配線路）２３９ａを除くＬＥＤ駆動配線路（所定配線路）２３９ｂ，２３９ｃ，２４０ａ〜２４０ｃについては、それぞれビア９６ｎ〜９６ｒから例えば横向き（第１方向）に互いに略平行に引き出され、更に屈折部２７３ｂ〜２７３ｆを介して例えば上向き（第２方向）に互いに略平行に配設されている。また、一端側のＬＥＤ駆動配線路（特定配線路）２３９ａについては、ビア９６ｍから例えば上向き（第２方向）に引き出されている。そして、屈折部２７３ｂ〜２７３ｆは略直線状に配列されており、更にその直線上に、ＬＥＤ駆動配線路（特定配線路）２３９ａに対応するビア９６ｍが配置されている。このように、複数のビア群を互いに略平行で且つ夫々複数の端子の配列方向に対して斜めに配列した場合についても、複数の配線路のうち、一端側の特定配線路を除く所定配線路をビアから第１方向に互いに略平行に引き出すと共に屈折部を介して第２方向に互いに略平行に配設し、特定配線路を、ビアから第２方向に引き出すように配設してもよい。また、複数のビア群に対応する屈曲部を直線状に配列してもよい。
【０１６１】
また第９の実施形態では、図２５に示すように、前面配線層２１１ａ側のＬＥＤ駆動配線路２３９ａ〜２３９ｃ，２４０ａ〜２４０ｃが、それぞれビア９６ｍ〜９６ｒから例えば横向き（第１方向）に互いに略平行に引き出され、更に屈折部２７３ａ〜２７３ｆを介して例えば上向き（第２方向）に互いに略平行に配設されている。そして、第１のビア群（層間導通部群）を構成するビア９６ｍ〜９６ｏに対応する屈折部２７３ａ〜２７３ｃが略直線上に配列され、また第２のビア群（層間導通部群）を構成するビア９６ｐ〜９６ｒに対応する屈折部２７３ｄ〜２７３ｆについても略直線上に配列されている。ここで、屈折部２７３ａ〜２７３ｃと屈折部２７３ｄ〜２７３ｆとは同一直線上には配列されていないが、両配列は互いに略平行となっている。
【０１６２】
このように、複数のビア群を互いに略平行で且つ夫々複数の端子の配列方向に対して斜めに配列した場合についても、一端側のＬＥＤ駆動配線路（特定配線路）２３９ａを含め、ＬＥＤ駆動配線路２３９ａ〜２３９ｃ，２４０ａ〜２４０ｃの全てをビア９６ｍ〜９６ｒから第１方向に引き出すように構成してもよい。また、異なるビア群に対応する屈曲部は同一直線上に配列されていなくてもよい。なお、屈折部２７３ａ〜２７３ｃの配列と屈折部２７３ｄ〜２７３ｆの配列とは互いに平行でなくてもよいし、屈折部２７３ａ〜２７３ｆを全て同一直線上に配列してもよい。
【０１６３】
以上、本発明の実施形態について詳述したが、本発明はこの実施形態に限定されるものではなく、本発明の趣旨を逸脱しない範囲で種々の変更が可能である。例えば、実施形態では層間導通部（いわゆるビア）の一例としてスルーホール型のビアを採用したが、スルーホールに導電ペースト等を充填したビア等を採用してもよい。また、信号線とグラウンド線等、配線路の種類に応じてスルーホール等の層間導通部の大きさ（径）を異ならせてもよい。
【０１６４】
第１の実施形態では、図１３（ｂ）に示すように、複数のビア（層間導通部）を複数の端子１８０ａ〜１８０ｆの配列方向に沿ってジグザグ状に配列するにあたり、第１傾斜配列部と第２傾斜配列部とを夫々同数（２個）のビアで構成したが、第１傾斜配列部と第２傾斜配列部とのビア数は３個以上でもよく、また第１傾斜配列部と第２傾斜配列部とのビア数は同じでなくてもよい。
【０１６５】
第１の実施形態では、図１５に示すように、複数のビア群（層間導通部群）を、互いに略平行で且つ複数の端子１９１ａ〜１９１ｃ、１９２ａ〜１９２ｃの配列方向に対して斜めに配列するにあたり、各ビア群のビア数を同じにしたが、各ビア群のビア数は異なっていてもよい。また３つ以上のビア群を設けてもよい。
【０１６６】
実施形態では、駆動手段により所定動作が可能な可動演出手段の一例として送風演出手段３７を採用した例を示したが、可動演出手段は、例えば遊技盤の前側、前扉８の前側等に配置された可動演出体をモータ等の駆動手段により作動させるものの他、遊技者が触れる所定部位（発射ハンドル１７、演出ボタン５１等）を振動させる振動演出手段等でもよい。
【０１６７】
実施形態では、ＬＥＤの第１電極に接続される第１配線路と、その第１電極の両側に隣接する第２，第３電極に夫々接続される第２，第３配線路とのうち、少なくとも第２，第３配線路に放熱部１０５ａ，１０５ｃを設けた例を示したが、中央の第１電極がＧ電極又はＢ電極であってもよい。また、ＬＥＤは１つのＬＥＤ素子よりなる単色発光型でもよい。
【０１６８】
実施形態では、第４〜第６ＬＥＤ基板（第１〜第３基板）４４〜４６において、第４ＬＥＤ基板（第１基板）４４に、その第４ＬＥＤ基板４４のＬＥＤ（第１ＬＥＤ）１８３〜１８６と、第５ＬＥＤ基板（第２基板）４５のＬＥＤ（第２ＬＥＤ）２２３〜２２６とを駆動するＬＥＤドライバ（第１ＬＥＤドライバ）１８０を設け、第６ＬＥＤ基板（第３基板）４６には、ＬＥＤ（第３ＬＥＤ）２４５〜２４８とそれらを駆動するＬＥＤドライバ（第３ＬＥＤドライバ）２４４とを設けた例を示したが、第４ＬＥＤ基板（第１基板）４４に、その第４ＬＥＤ基板４４のＬＥＤ（第１ＬＥＤ）１８３〜１８６と、第５ＬＥＤ基板（第２基板）４５のＬＥＤ（第２ＬＥＤ）２２３〜２２６と、第６ＬＥＤ基板（第３基板）４６のＬＥＤ（第３ＬＥＤ）２４５〜２４８とを駆動するＬＥＤドライバ（第１ＬＥＤドライバ）１８０を設け、第５ＬＥＤ基板（第２基板）４５に、第４ＬＥＤ基板（第１基板）４４のＬＥＤドライバ（第１ＬＥＤドライバ）１８０と第６ＬＥＤ基板（第３基板）４６のＬＥＤ（第３ＬＥＤ）２４５〜２４８とを接続する中継配線路を設けてもよい。
【０１６９】
実施形態では、第１，第３ＬＥＤ基板４１，４３において、背面配線層（第１配線層）７１ｂ，１４１ｂにＬＥＤドライバ８０，８１，１４６を、それ以外の前面配線層（第２配線層）７１ａ，１４１ａにスピーカ３６ａ，３６ｂを駆動するための駆動配線路８８ａ〜８８ｄ，１５４ａ〜１５４ｄを夫々設けた例を示したが、第１配線層にＬＥＤドライバを、第２配線層に送風演出手段３７等の可動演出手段に関する駆動配線路を設けてもよい。この場合、第２配線層にＬＥＤを設けてもよい。或いは第４の実施形態のように、表面層である第１配線層にＬＥＤドライバを、中間層である第２配線層に送風演出手段３７等の可動演出手段に関する駆動配線路を設けてもよい。
【０１７０】
第２の実施形態では、ベタグラウンドパターン１３４におけるＬＥＤドライバ１２０の配置領域内の中央領域に集中的に配置されたビア９６に対応するように、それらのビア９６の配置領域を含むように導体露出部２６２を設けた例を示したが、中央領域に配置されたビア９６にかからないように、その周辺領域に対応して導体露出部２６２と導体部２６１とを設け、それらを半田（導通連結手段）２６３により連結してもよい。
【０１７１】
実施形態では、前扉８に配置した第１〜第６ＬＥＤ基板４１〜４６等の配線経路を窓孔３４の下側で左側の左配線経路５７と右側の右配線経路５８とに分岐させたが、第１〜第６ＬＥＤ基板４１〜４６を途中で分岐させることなく例えば基板４１，４２，４３，４６，４５，４４の順序、或いはその逆の順序で直列に接続してもよい。
【０１７２】
実施形態では、前扉８に配置したＬＥＤ基板について説明したが、遊技盤５における中央表示ユニット２２等の遊技部品に配置したＬＥＤ基板等についても同様に実施することが可能である。また、ＬＥＤ基板以外の基板、例えば演出制御基板等においても同様に実施することが可能である。
【０１７３】
ＬＥＤドライバに入力される信号の波形を検証するための計測点（以下、テストポイントという）を配線路上に設けてもよい。例えば信号をＬＥＤドライバに伝送するための配線路が長い場合、途中でノイズ等の影響を受けて波形が乱れてしまう可能性があるが、多少の波形の乱れがあってもＬＥＤは見た目上正常に発光するため、ＬＥＤドライバへの入力信号が正常であるか否かをＬＥＤの発光状態から判断することは困難である。そこで、例えばＬＥＤドライバに接続される信号配線路、クロック配線路等にテストポイントを設け、そのテストポイントにおける信号の波形を計測することにより、ＬＥＤドライバに入力される信号の波形が正常であるか否かを正確に検証することが可能である。なお、テストポイントは、ＬＥＤドライバのなるべく近くに設けることが望ましい。また、テストポイントはそれ専用に設けてもよいが、スルーホール等のビアをテストポイントとして利用してもよい。
【０１７４】
なお、例えば所定方向に配列された複数の端子から略平行に引き出された複数の配線路に夫々テストポイントを設ける場合、実施の形態（図１３，図１５，図２３〜図２５等）で示したビアの配置（斜め、ジグザグ等）と同様に配置してもよい。また、スルーホール等のビアとテストポイントとを区別するために、又はテストポイントとして利用するスルーホール等であることを明示するために、基板上のテストポイント近傍に「ＴＰ」等の文字、その他の目印を設けることが望ましい。
【０１７５】
また、実施形態では本発明をパチンコ機に適用した例を示したが、アレンジボール機、スロットマシン等の各種遊技機において同様に実施することが可能である。
【符号の説明】
【０１７６】
４１〜４４，４６      ＬＥＤ基板
７１ａ                配線層（第２面）
７１ｂ                配線層（第１面）
７２                  基板本体
７９                  グラウンド用のスルーパス配線路（グラウンド配線路）
８０，８１            ＬＥＤドライバ（発熱性部品）
８４〜８７            ＬＥＤ
９６                  ビア（層間導通部）
１０２                ベタグラウンドパターン（第１導体パターン）
１１１ａ              配線層（第２面）
１１１ｂ              配線層（第１面）
１１２                基板本体
１１８                クロック用のスルーパス配線路
１１９                グラウンド用のスルーパス配線路（グラウンド配線路）
１２０，１２１        ＬＥＤドライバ（発熱性部品）
１２４〜１２７        ＬＥＤ
１３４，１３４ａ      ベタグラウンドパターン（第１導体パターン）
１４１ａ              配線層（第２面）
１４１ｂ              配線層（第１面）
１４２                基板本体
１４６                ＬＥＤドライバ（発熱性部品）
１４７〜１５０        ＬＥＤ
１５８                ベタグラウンドパターン（第１導体パターン）
１６０                グラウンド配線路
１７１ａ              配線層（第２面）
１７１ｂ              配線層（第１面）
１７２                基板本体
１７８                クロック用のスルーパス配線路
１７９                グラウンド用のスルーパス配線路（グラウンド配線路）
１８０                ＬＥＤドライバ（発熱性部品）
１８３〜１８６        ＬＥＤ
１９６                ベタグラウンドパターン（第１導体パターン）
２４１ａ              配線層（第２面）
２４１ｂ              配線層（第１面）
２４２                基板本体
２４４                ＬＥＤドライバ（発熱性部品）
２４５〜２４８        ＬＥＤ
２５８                ベタグラウンドパターン（第１導体パターン）
２５９                グラウンド配線路
【図１】
2020099799.tif 000003
【図２】
2020099799.tif 000004
【図３】
2020099799.tif 000005
【図４】
2020099799.tif 000006
【図５】
2020099799.tif 000007
【図６】
2020099799.tif 000008
【図７】
2020099799.tif 000009
【図８】
2020099799.tif 000010
【図９】
2020099799.tif 000011
【図１０】
2020099799.tif 000012
【図１１】
2020099799.tif 000013
【図１２】
2020099799.tif 000014
【図１３】
2020099799.tif 000015
【図１４】
2020099799.tif 000016
【図１５】
2020099799.tif 000017
【図１６】
2020099799.tif 000018
【図１７】
2020099799.tif 000019
【図１８】
2020099799.tif 000020
【図１９】
2020099799.tif 000021
【図２０】
2020099799.tif 000022
【図２１】
2020099799.tif 000023
【図２２】
2020099799.tif 000024
【図２３】
2020099799.tif 000025
【図２４】
2020099799.tif 000026
【図２５】
2020099799.tif 000027
【手続補正書】
【提出日】令和2年4月3日(2020.4.3)
【手続補正１】
【補正対象書類名】特許請求の範囲
【補正対象項目名】請求項１
【補正方法】変更
【補正の内容】
【請求項１】
複数の基板を有する遊技機において、
前記複数の基板は、基板本体を挟んで第１配線層と第２配線層とを有し、
前記複数の基板のうち、前記第１配線層に発熱性部品を設けた基板は、前記発熱性部品の発熱を放熱する放熱部を備え、
前記放熱部は、前記第１配線層側であって前記基板本体と前記発熱性部品との間に設けられた第１導体パターンと、前記第２配線層側に設けられた第２導体パターンと、前記基板本体を貫通して前記第１導体パターンと前記第２導体パターンとを接続し且つ前記第１導体パターンから前記第２導体パターンへ熱を伝える熱伝導部とを備え、
前記熱伝導部を、前記第１導体パターン側の端部が前記発熱性部品の配置領域内となるように配置し、
前記複数の基板のうち、前記第１配線層と前記第２配線層とのうち一方の特定配線層に、複数の端子が所定方向に配列された電子部品を設けた基板は、前記複数の端子に夫々接続され且つ略平行に配置された複数の配線路を設け、
前記複数の配線路を前記端子とは異なる位置で、前記第１配線層と前記第２配線層とのうちの他方の非特定配線層側に別々に導通させる複数の層間導通部を設け、
前記複数の層間導通部は、２以上の層間導通部を含む２以上の層間導通部群に分けて、
前記各層間導通部群の前記２以上の前記層間導通部は、前記複数の端子の配列方向に対して斜め方向に列状に配置し、
前記各層間導通部群は、略平行に配置した
ことを特徴とする遊技機。
【手続補正２】
【補正対象書類名】明細書
【補正対象項目名】０００２
【補正方法】変更
【補正の内容】
【０００２】
パチンコ機等の各種遊技機では、ＬＥＤを実装したＬＥＤ基板をはじめ、中継基板、制御基板等の多数の基板が搭載されている。またそれらの基板の中には、例えばＬＥＤやそれを駆動するＬＥＤドライバ等、発熱性部品を搭載したものも多い（特許文献１）。
【手続補正３】
【補正対象書類名】明細書
【補正対象項目名】０００４
【補正方法】変更
【補正の内容】
【０００４】
本発明は、より好適な基板配線を実現可能な遊技機を提供することを目的とする。
【手続補正４】
【補正対象書類名】明細書
【補正対象項目名】０００５
【補正方法】変更
【補正の内容】
【０００５】
本発明は、複数の基板を有する遊技機において、前記複数の基板は、基板本体を挟んで第１配線層と第２配線層とを有し、前記複数の基板のうち、前記第１配線層に発熱性部品を設けた基板は、前記発熱性部品の発熱を放熱する放熱部を備え、前記放熱部は、前記第１配線層側であって前記基板本体と前記発熱性部品との間に設けられた第１導体パターンと、前記第２配線層側に設けられた第２導体パターンと、前記基板本体を貫通して前記第１導体パターンと前記第２導体パターンとを接続し且つ前記第１導体パターンから前記第２導体パターンへ熱を伝える熱伝導部とを備え、前記熱伝導部を、前記第１導体パターン側の端部が前記発熱性部品の配置領域内となるように配置し、前記複数の基板のうち、前記第１配線層と前記第２配線層とのうち一方の特定配線層に、複数の端子が所定方向に配列された電子部品を設けた基板は、前記複数の端子に夫々接続され且つ略平行に配置された複数の配線路を設け、前記複数の配線路を前記端子とは異なる位置で、前記第１配線層と前記第２配線層とのうちの他方の非特定配線層側に別々に導通させる複数の層間導通部を設け、前記複数の層間導通部は、２以上の層間導通部を含む２以上の層間導通部群に分けて、前記各層間導通部群の前記２以上の前記層間導通部は、前記複数の端子の配列方向に対して斜め方向に列状に配置し、前記各層間導通部群は、略平行に配置したものである。
【手続補正５】
【補正対象書類名】明細書
【補正対象項目名】０００６
【補正方法】変更
【補正の内容】
【０００６】
本発明によれば、より好適な基板配線を実現可能である。